(57)【要約】【課題】鍵の所有者が鍵をシリンダに差し込む手間をかけることなく錠を開ける事を可能にし、且つ、セキュリティをより向上させる事を可能にする開錠処理装置を実現する。【解決手段】開錠処理装置であるサーバ（１００）は、電子鍵（５００）が発信したキー番号に紐付けて登録されている音声データと該鍵を持つ人物が発した声を示す音声データとを比較して「電子鍵（５００）を持つ人物は電子鍵（５００）の所有者である」と判定した場合に限り、電子錠（４００）を開錠させる処理を行う。【選択図】図１
2016186204.tif 000002
【特許請求の範囲】
【請求項１】
鍵との近距離通信が可能な電子錠を開錠させる電子錠制御部と、
鍵の固有情報と該鍵の所有者の声を示す音声情報とが紐付けて記録されている記録媒体を参照する参照処理部と、
上記鍵が上記電子錠に近づいた場合に、上記電子錠が該鍵から受信した固有情報を取得する固有情報取得部と、
人物が発した声を示す音声情報を取得する音声情報取得部とを備え、
上記電子錠制御部が上記電子錠を開錠させるのは、上記固有情報取得部が取得した固有情報に、上記音声情報取得部が取得した音声情報によって示される声を発した人物と同じ人物の声を示す音声情報が紐付けられていると判定した場合である、ことを特徴とする開錠処理装置。
【請求項２】
上記記録媒体には、上記電子錠を開錠させるための開錠用合言葉を示す情報が記録されており、
上記電子錠制御部は、上記固有情報取得部が取得した固有情報に、上記音声情報取得部が取得した音声情報によって示される声を発した人物と同じ人物の声を示す音声情報が紐付けられていると判定した場合であって、且つ、上記音声情報取得部によって取得された音声情報は上記開錠用合言葉の声を示していると判定した場合に、上記電子錠を開錠する、ことを特徴とする請求項１に記載の開錠処理装置。
【請求項３】
上記電子錠制御部は、上記電子錠の施錠を行うようになっており、
上記記録媒体には、上記電子錠を施錠させるための施錠用合言葉を示す情報が記録されており、
上記電子錠制御部は、上記固有情報取得部が取得した固有情報に、上記音声情報取得部が取得した音声情報によって示される声を発した人物と同じ人物の声を示す音声情報が紐付けられていると判定した場合であって、且つ、上記音声情報取得部によって取得された音声情報は上記施錠用合言葉の声を示していると判定した場合に、上記電子錠を施錠する、ことを特徴とする請求項２に記載の開錠処理装置。
【請求項４】
上記電子錠は、上記人物が発した声を取り込むマイク部を備えており、
上記音声情報取得部は、上記マイク部により取り込まれた声を示す音声情報を取得する、ことを特徴とする請求項１〜３のいずれか１項に記載の開錠処理装置。
【請求項５】
上記音声情報取得部は、上記人物が発した声を取り込むマイク部を備えた携帯端末から、上記マイク部により取り込まれた声を示す音声情報を取得する、ことを特徴とする請求項１〜３のいずれか１項に記載の開錠処理装置。
【請求項６】
上記記録媒体には、上記音声情報として、該鍵を専有する１個人の声を示す音声情報が記録されている、ことを特徴とする請求項１〜５のいずれか１項に記載の開錠処理装置。
【請求項７】
上記記録媒体には、上記音声情報として、該鍵を共有するグループの各構成員の声を示す音声情報が記録されている、ことを特徴とする請求項１〜５のいずれか１項に記載の開錠処理装置。
【請求項８】
鍵と、上記鍵との近距離通信が可能な電子錠と、上記電子錠を遠隔制御する開錠処理装置とを含む遠隔制御システムにおいて、
上記鍵は、該鍵の固有情報を発信するようになっており、
上記電子錠は、
上記鍵が上記電子錠に近づいた場合に、上記鍵が発信する固有情報を取得し、該固有情報が上記開錠処理装置に送信されるように該固有情報を転送する転送部と、
人物が発した声を取り込むマイク部とを備え、
上記開錠処理装置は、
遠隔制御により上記電子錠を開錠させる電子錠制御部と、
鍵の固有情報と該鍵の所有者の声を示す音声情報とが紐付けて記録されている記録媒体を参照する参照処理部とを備え、
上記電子錠制御部が上記電子錠を開錠させるのは、上記転送部によって転送された固有情報に、上記マイク部によって取り込まれた声を発した人物と同じ人物の声を示す音声情報が紐付けられていると判定した場合であり、
上記電子錠は、上記電子錠制御部からの遠隔制御を受けて開錠動作を行う、ことを特徴とする遠隔制御システム。
【請求項９】
鍵と、上記鍵との近距離通信が可能な電子錠とを含む電子錠システムにおいて、
上記電子錠システムは、
上記鍵を持つ人物の声を取り込むマイク部と、
上記マイク部が取り込んだ声を示す音声情報を開錠処理装置に送信する送信処理部とを備え、
上記鍵は、該鍵の固有情報を発信するようになっており、
上記電子錠は、
上記鍵が上記電子錠に近づいた場合に、上記鍵が発信する固有情報を取得し、該固有情報が上記開錠処理装置に送信されるように該固有情報を転送する転送部を備え、
上記開錠処理装置は、
遠隔制御により上記電子錠を開錠させる電子錠制御部と、
鍵の固有情報と該鍵の所有者の声を示す音声情報とが紐付けて記録されている記録媒体を参照する参照処理部とを備え、
上記電子錠制御部が上記電子錠を開錠させるのは、上記転送部によって転送された固有情報に、上記送信処理部によって送信された音声情報が示す声を発した人物と同じ人物の声を示す音声情報が紐付けられていると判定した場合であり、
上記電子錠は、上記電子錠制御部からの遠隔制御を受けて開錠動作を行う、ことを特徴とする電子錠システム。
【請求項１０】
上記電子錠が上記マイク部を備えている、ことを特徴とする請求項９に記載の電子錠システム。
【請求項１１】
上記鍵および上記電子錠に加えて、上記人物によって所有される携帯端末を含んでおり、
上記携帯端末が、上記マイク部および上記送信処理部を備えている、ことを特徴とする請求項９に記載の電子錠システム。
【請求項１２】
鍵と、上記鍵との近距離通信が可能な電子錠とを含む電子錠システムにおいて、
上記電子錠システムは、鍵の固有情報と該鍵の所有者の声を示す音声情報とが紐付けて記録されている記録媒体を参照する参照処理部を備え、
上記鍵は、該鍵の固有情報を発信するようになっており、
上記電子錠は、
上記鍵が上記電子錠に近づいた場合に、該鍵が発信する固有情報を上記鍵から取得する固有情報取得部と、
人物が発した声を取り込むマイク部とを備え、
上記固有情報取得部によって取得された固有情報に、上記マイク部によって取り込まれた声を発した人物と同じ人物の声を示す音声情報が紐付けられていると上記電子錠システムが判定した場合に、上記電子錠が開錠動作を行う、ことを特徴とする電子錠システム。
【請求項１３】
装置による電子錠の開錠処理方法において、
鍵との近距離通信が可能な電子錠を開錠させる電子錠制御ステップと、
鍵の固有情報と該鍵の所有者の声を示す音声情報とが紐付けて記録されている記録媒体を参照する参照処理ステップと、
上記鍵が上記電子錠に近づいた場合に、上記電子錠が該鍵から受信した固有情報を取得する固有情報取得ステップと、
人物が発した声を示す音声情報を取得する音声情報取得ステップとを含み、
上記装置が上記電子錠制御ステップにて上記電子錠を開錠させるのは、上記固有情報取得ステップにて取得した固有情報に、上記音声情報取得ステップにて取得した音声情報によって示される声を発した人物と同じ人物の声を示す音声情報が紐付けられていると判定した場合である、ことを特徴とする開錠処理方法。
【請求項１４】
請求項１に記載の開錠処理装置が備える上記電子錠制御部、上記参照処理部、上記固有情報取得部、及び、上記音声情報取得部としてコンピュータを機能させるためのプログラム。
【発明の詳細な説明】
【技術分野】
【０００１】
本発明は、主に、電子錠を開錠させる機能を備えた開錠処理装置、遠隔制御システム、及び、電子錠システム、並びに、電子錠を開錠させる方法である開錠処理方法に関する。
【背景技術】
【０００２】
従来より、施錠操作および開錠操作に関する様々な技術が開発されている。
【０００３】
特許文献１には、ユーザ通信端末からの音声入力によりロッカーの施錠及び開錠操作を可能とする技術が開示されている。特許文献２には、錠装置の施錠及び開錠を音声によるキーでする技術が開示されている。
【０００４】
また、上記技術の一例として、鍵情報番号を間欠的に発信する鍵を用いた入室認証システムに関する以下のような技術も知られている。
【０００５】
即ち、この入室認証システムは、このような鍵を持ったユーザがドアに近づくと、鍵が発信する鍵情報番号を認識するようになっている。そして、この入室認証システムは、鍵が発信する鍵情報番号が該システムに登録済の鍵情報番号であることを確認した場合であって、且つ、ドアに取り付けられているハードキーが押下された場合に、ドアを開錠するようになっている。
【０００６】
これにより、この入室認証システムは、ユーザが手間（電気錠を開けるために鍵をシリンダに差し込む手間）をかけることなく入室することを可能にする。
【先行技術文献】
【特許文献】
【０００７】
【特許文献１】特開２００７−３３２６９５号公報（２００７年１２月２７日公開）
【特許文献２】特開平５−９８８５９号公報（１９９３年４月２０日公開）
【発明の概要】
【発明が解決しようとする課題】
【０００８】
しかしながら、上記の入室認証システムには、以下に説明するようなセキュリティ上の欠点が存在する。
【０００９】
即ち、登録済の鍵情報番号を発信する鍵を持ったユーザが入室後に鍵をドアの近くに置いてしまうことが考えられる。鍵がドアの近くに置かれてしまった場合、上記の入室認証システムは、鍵を持たない部外者が入室することを確実に防ぐことができない。部外者は、ハードキーを押すだけで入室できてしまうからである。
【００１０】
本発明は、上記課題に鑑みて成されたものであり、その主な目的は、鍵の所有者が鍵をシリンダに差し込む手間をかけることなく錠を開けることを可能にし、且つ、セキュリティをより向上させることを可能にする開錠処理装置を実現することにある。
【課題を解決するための手段】
【００１１】
本発明の一態様に係る開錠処理装置は、鍵との近距離通信が可能な電子錠を開錠させる電子錠制御部と、鍵の固有情報と該鍵の所有者の声を示す音声情報とが紐付けて記録されている記録媒体を参照する参照処理部と、上記鍵が上記電子錠に近づいた場合に、上記電子錠が該鍵から受信した固有情報を取得する固有情報取得部と、人物が発した声を示す音声情報を取得する音声情報取得部とを備え、上記電子錠制御部が上記電子錠を開錠させるのは、上記固有情報取得部が取得した固有情報に、上記音声情報取得部が取得した音声情報によって示される声を発した人物と同じ人物の声を示す音声情報が紐付けられていると判定した場合である。
【発明の効果】
【００１２】
本発明の一態様に係る開錠処理装置は、鍵の所有者が鍵をシリンダに差し込む手間をかけることなく錠を開けることを可能にするとともに、セキュリティをより向上させることを可能にする。
【図面の簡単な説明】
【００１３】
【図１】本発明の実施形態１、２、４に係る遠隔制御システムのシステム構成図である。
【図２】本発明の実施形態１、３〜５において、佐藤家の各住人が所有する電子鍵のキー番号を示す図である。
【図３】本発明の実施形態１、２、４において使用される各機器（ワイヤレスアダプタ装置、実施形態３においても使用されるＳＮＳサーバ、および、実施形態３、５においても使用される施開錠操作機器）のハードウェア構成を示すブロック図である。
【図４】本発明の実施形態１、２、４、５において使用される機器（電子錠、及び、実施形態３においても使用される鍵）のハードウェア構成を示すブロック図である。
【図５】本発明の実施形態１〜４に係るＳＮＳサーバのＣＰＵによって実現される主要な機能構成を示す機能ブロック図である。
【図６】本発明の実施形態１、３に係るＳＮＳサーバに記録されているデータを模式的に例示した図である。
【図７】所定のＳＮＳアプリケーション（本発明の実施形態１に係るＳＮＳサーバにアクセスするアプリケーション）が起動しているユーザ端末に表示される設定画面群の一部を例示した図である。
【図８】上記所定のＳＮＳアプリケーションが起動しているユーザ端末に表示されている設定画面群の別の一部を例示した図である。
【図９】上記所定のＳＮＳアプリケーションが起動しているユーザ端末に表示されている設定画面群の別の一部を例示した図である。
【図１０】上記所定のＳＮＳアプリケーションが起動しているユーザ端末に表示されている設定画面群の更に別の一部を例示した図である。
【図１１】上記所定のＳＮＳアプリケーションが起動しているユーザ端末に表示されている設定画面群の更に別の一部を例示した図である。
【図１２】上記所定のＳＮＳアプリケーションが起動しているユーザ端末に表示されている設定画面群の更に別の一部を例示した図である。
【図１３】上記所定のＳＮＳアプリケーションが起動しているユーザ端末に表示されている設定画面群の更に別の一部を例示した図である。
【図１４】上記設定画面群を通じた電子鍵に関する設定の完了後において本発明の実施形態１、３に係るＳＮＳサーバに記録されているデータを模式的に例示した図である。
【図１５】本発明の実施形態１、４に係るＳＮＳサーバによる電子錠を開錠または施錠させるための動作を示すフローチャートである。
【図１６】本発明の実施形態２において、佐藤家の各人が所有する電子鍵のキー番号を示す図である。
【図１７】電子鍵に関する設定の完了後において本発明の実施形態２に係るＳＮＳサーバに記録されているデータを模式的に例示した図である。
【図１８】本発明の実施形態２に係るＳＮＳサーバによる電子錠を開錠または施錠させるための動作を示すフローチャートである。
【図１９】本発明の実施形態３に係る遠隔制御システムのシステム構成図である。
【図２０】本発明の実施形態３において使用される各電子機器（ワイヤレスアダプタ装置、電子錠、及び、スマートフォン）のハードウェア構成を示すブロック図である。
【図２１】本発明の実施形態３に係るＳＮＳサーバによる電子錠を開錠または施錠させるための動作を示すフローチャートである。
【図２２】電子鍵に関する設定の完了後において本発明の実施形態４に係るＳＮＳサーバに記録されているデータを模式的に例示した図である。
【図２３】本発明の実施形態５に係る電子錠システムのシステム構成図である。
【図２４】電子鍵に関する設定の完了後において本発明の実施形態５に係る電子錠システムの施開錠制御サーバに記録されているデータを模式的に例示した図である。
【図２５】施開錠制御サーバのハードウェア構成と、施開錠制御サーバのＣＰＵによって実現される主要な機能構成とを示した図である。
【図２６】本発明の実施形態５に係る施開錠制御サーバによる電子錠を開錠または施錠させるための動作を示すフローチャートである。
【発明を実施するための形態】
【００１４】
＜実施形態１＞
以下、図１〜図１５を参照して、本発明の一実施形態に係る遠隔制御システムについて説明する。
【００１５】
（遠隔制御システムの概要および構成）
本実施形態に係る遠隔制御システムの概要および構成について図１〜図４を参照しながら説明する。
【００１６】
図１は、本実施形態に係る遠隔制御システムのシステム構成図である。図２は、本実施形態において佐藤家の各人が所有する電子鍵のキー番号を示す図である。
【００１７】
図３は、本実施形態において使用されるワイヤレスアダプタ装置（以下、単に「アダプタ装置」とも称する）、ＳＮＳサーバ、および、施開錠操作機器のハードウェア構成を示すブロック図である。
【００１８】
図４は、本実施形態においてにおいて使用される電子錠、及び、鍵（電子鍵）のハードウェア構成を示すブロック図である。
【００１９】
図１、図３、図４からわかるように、本実施形態に係る遠隔制御システムは、ＳＮＳサーバ１００、アダプタ装置２００、施開錠操作機器３００、電子錠４００、電子鍵５００、及び、公知のルータ６００を含んでいる。
【００２０】
図１、図２からわかるように、ＳＮＳサーバ１００はクラウド上に設置されており、アダプタ装置２００、施開錠操作機器３００、電子錠４００、及び、ルータ６００は、佐藤家の自宅に設置されている。電子錠４００は、玄関のドアに取り付けられている。
【００２１】
図２からわかるように、本実施形態では、佐藤家の各人は自身の専用の電子鍵５００を保持しており、各電子鍵５００は、公知の近距離無線通信手段を用いて、自身に固有のキー番号を間欠的に発信するようになっている。
【００２２】
また、図１、図２からわかるように、電子錠４００には、キー番号を受信するための受信部４１０と、錠を開けるための合言葉（開錠用合言葉）の声を取り込むマイク４２０（マイク部）が設けられている。
【００２３】
本実施形態では、佐藤家の各人は、自身の専用の電子鍵５００を携帯して玄関に近づいた上で（即ち、電子錠４００にキー番号を受信させた上で）、玄関のドアの前で開錠用合言葉を発することにより電子錠４００を開けることができるようになっている。
【００２４】
これにより、佐藤家の各人は、鍵を自宅の玄関のドアのシリンダに差し込む手間をかけることなく錠を開けることができ、自宅建物の内部のセキュリティをより向上させることができる。
【００２５】
本実施形態に係る遠隔制御システム（および遠隔制御システムを構成する各機器）には、佐藤家の各人にこのような利益を享受させるための処理を行う点に特徴がある。この特徴について、以降で詳細に説明する。
【００２６】
次に、遠隔制御システムを構成する主要な各機器の構成（あるいは、概要および構成）について、更に図５を参照しながら説明する。図５は、ＳＮＳサーバ１００のＣＰＵによって実現される主要な機能構成を示す機能ブロック図である。
【００２７】
（ＳＮＳサーバ１００の概要および構成）
ＳＮＳサーバ１００は、掲示板機能を備えたソーシャルネットワークサービス（以下、「ＳＮＳ」と記載する）を提供するためのサーバである。
【００２８】
ＳＮＳに登録した佐藤家の各住人は、この掲示板（ココロボ〜ド）を通じて、家族とコミュニケーションをとることができるようになっている。
【００２９】
また、このＳＮＳには、佐藤家の住人のユーザ端末とリンクされた、佐藤家で使用されている機器（ともだち家電）を登録できるようになっており、登録されたともだち家電（例えば、ロボット掃除機）は、掲示板に対して様々な書き込み（例えば、掃除が完了したことを報告するための書き込み）を行うようになっている。
【００３０】
さらに、電子錠がＳＮＳに登録された場合、ＳＮＳサーバ１００は、その電子錠の開錠および施錠を、その電子錠が取り付けられた家に設置されているルータを介して遠隔制御できるようになる。
【００３１】
図３の（ａ）に示すように、ＳＮＳサーバ１００は、通信Ｉ／Ｆ部１１０、制御部１２０、及び、記憶部１３０を備えている。
【００３２】
通信Ｉ／Ｆ部１１０は、他の装置とのＩＰ通信を可能にするために設けられたイーサネット（登録商標）インタフェースである。
【００３３】
制御部１２０は、ＳＮＳサーバ１００全体を統括的に制御するＣＰＵである。
【００３４】
記憶部１３０は、様々なデータ（ＳＮＳ用のサーバアプリケーションのデータや、ＳＮＳに関する設定データ（図６の（ａ）のデータや図６の（ｂ）のデータ等））が記録されている記録媒体である。
【００３５】
なお、電子鍵５００に関する後述の設定操作（電子鍵５００の所有者等を設定する操作）が完了すると、記憶部１３０には、その電子鍵５００のキー番号と、その電子鍵５００の所有者の声を示す音声データと、その所有者の開錠用合言葉を示す文字列と、が紐付けて記録される。即ち、ＳＮＳには、電子鍵５００のキー番号と、その電子鍵５００を専有する１個人の声を示す音声データと、該個人の開錠用合言葉を示す文字列と、が紐付けられた状態で登録される。
【００３６】
制御部１２０は、ＳＮＳ用のサーバアプリケーションを実行することによって、図５に示すように、取得処理部１２１、比較処理部１２２、電子錠制御処理部１２３、及び、設定受付処理部１２４として機能する。
【００３７】
電子鍵５００を持つ人物が電子錠４００に近づいた場合、取得処理部１２１（固有情報取得部）は、電子鍵５００によって発信され、電子錠４００が受信したキー番号（固有情報）をルータ６００を介して取得する。
【００３８】
電子鍵５００を持つ人物が電子錠４００に向かって声を発した場合、取得処理部１２１（音声情報取得部）は、電子錠４００によって取り込まれたその声を示す音声データを同じルータ６００を介して取得する。
【００３９】
取得処理部１２１は、ルータ６００を介して受信したキー番号がＳＮＳに登録されている場合、そのキー番号と、同じルータ６００を介して取得した音声データと、のペアを記憶部１３０に一時的に記録する。
【００４０】
比較処理部１２２（参照処理部）は、記憶部１３０を参照し、キー番号とでペアを成す音声データと、該キー番号に紐付けてＳＮＳに登録されている音声データとを比較する。例えば、比較処理部１２２は、公知の方法により、２つの音声データの各々から声紋の特徴量を抽出し、抽出した２つの特徴量を比較する。
【００４１】
比較処理部１２２は、「２つの音声データは同じ人物の声を示している（即ち、鍵５００を持っている人物は鍵５００の所有者である）」と判定した場合、公知の音声認識技術を用いて、取得処理部１２１によって記録された音声データから、鍵５００を持つ人物が発した声を示すテキストデータを生成する。例えば、比較処理部１２２は、上記２つの特徴量に強い相関があると判定した場合、該テキストデータを生成する。
【００４２】
比較処理部１２２は、生成したテキストデータが鍵５００の所有者によって使用される開錠用合言葉を示している場合に限り、認証結果（開錠ＯＫ）を示す情報を電子錠制御処理部１２３に通知する。即ち、比較処理部１２２は、生成したテキストデータに記載されている言葉とＳＮＳに登録されている文字列が示す開錠用合言葉とが一致する場合に限り、認証結果（開錠ＯＫ）を示す情報を電子錠制御処理部１２３に通知する。
【００４３】
電子錠制御処理部１２３（電子錠制御部）は、認証結果（開錠ＯＫ）を示す情報の通知を比較処理部１２２から受け付けた場合に限り、電子錠４００を開錠させるコマンドを、その電子錠４００が使用されている家のルータ６００に向けて送信する。
【００４４】
設定受付処理部１２４は、後述の設定操作（電子鍵５００の所有者等を設定する操作）の内容に基づき、記憶部１３０に記録されているＳＮＳに関する設定データを更新する。
【００４５】
（アダプタ装置２００の概要および構成）
アダプタ装置２００は、電子錠４００がＳＮＳに登録されると、ＳＮＳの掲示板に対して電子錠４００の名前で様々な書き込みを行う他、以下の処理を行う。
【００４６】
即ち、アダプタ装置２００は、電子鍵５００により発信され、電子錠４００が受信するキー番号、及び、電子錠４００によって取り込まれた声（電子鍵５００を持つ人物の声）を示す音声データをＳＮＳサーバ１００に取得させる。
【００４７】
図３の（ｂ）に示すように、アダプタ装置２００は、ＷｉＦｉ（登録商標）通信モジュール部２１０、制御部２２０、及び、有線通信モジュール部２３０を備えている。
【００４８】
ＷｉＦｉ通信モジュール部２１０は、ルータ６００との間でＷｉＦｉ通信を行うために必要な無線ＬＡＮモジュールである。
【００４９】
制御部２２０は、アダプタ装置２００全体を統括的に制御するＣＰＵである。
【００５０】
ユーザ端末とのリンク設定操作が行われると、制御部２２０は、施開錠操作機器３００に登録されている、電子錠４００の家電ＩＤおよび家電種別情報、並びに、電子錠４００に付属する各電子鍵５００のキー番号をＳＮＳサーバ１００に通知する。
【００５１】
また、電子錠４００がＳＮＳに登録されると、制御部２２０は、所定のプログラムを実行することにより、主に以下の各処理を行う。
（処理１）マイク４２０によって取り込まれた声を示す音声信号を受信する度に、音声信号から音声データ（音声ファイル）を生成し、生成した音声データをルータ６００を介してＳＮＳサーバ１００に送信する。
（処理２）電子錠４００から施開錠操作機器３００を介してキー番号を取得する度に、キー番号をルータ６００を介してＳＮＳサーバ１００に送信する。
（処理３）ＳＮＳサーバ１００から認証結果を示す情報（あるいは、認証結果を示す情報とコマンドとの両方）を取得する度に、認証結果を示す情報（認証結果を示す情報とコマンドとの両方）を施開錠操作機器３００に送信する。
（処理４）ＳＮＳサーバ１００から認証結果（開錠ＮＧ）を示す情報を取得すると、電子錠４００を開錠できない旨の音声をスピーカ４４０から出力する。
【００５２】
有線通信モジュール部２３０は、施開錠操作機器３００との間を結ぶ通信ケーブルを接続するためのモジュールである。
【００５３】
（施開錠操作機器３００の概要および構成）
施開錠操作機器３００は、建物の内部に居る住人が電子錠４００を開けたり閉めたりするために用いる機器である。施開錠操作機器３００は、電子錠４００を開ける操作または電子錠４００を閉める操作を受け付けると、操作の内容に応じた信号（施錠信号または開錠信号）を電子錠４００に送信する。
【００５４】
また、施開錠操作機器３００は、電子錠４００からキー番号を受信した場合にはキー番号をアダプタ装置２００に転送する。
【００５５】
さらに、施開錠操作機器３００は、ＳＮＳサーバ１００が送信した開錠コマンドをアダプタ装置２００を介して取得した場合には、開錠信号を電子錠４００に送信する。
【００５６】
図３の（ｃ）に示すように、施開錠操作機器３００は、有線通信モジュール部３１０、制御部３２０、操作受付部３３０、及び、記憶部３４０を備えている。
【００５７】
有線通信モジュール部３１０は、アダプタ装置２００との間を結ぶ通信ケーブルを接続するためのモジュールである。
【００５８】
制御部３２０は、施開錠操作機器３００全体を統括的に制御するＣＰＵであり、以下の各処理を行う。
（処理６）施錠信号または開錠信号を電子錠４００に送信する。
（処理７）電子錠４００から取得したキー番号をアダプタ装置２００に転送する。
【００５９】
操作受付部３３０は、施錠操作や開錠操作等の各種操作を受け付ける操作インターフェース（例えば、操作スイッチ、操作ボタン等）である。
【００６０】
記憶部３４０は、電子錠４００に付属する各電子鍵５００のキー番号が記録されている記録媒体である。即ち、施開錠操作機器３００には、電子錠４００の家電ＩＤおよび家電種別情報、並びに、電子錠４００に付属する各電子鍵５００のキー番号が登録されている。
【００６１】
（電子錠４００の構成）
図４の（ａ）に示すように、電子錠４００は、受信部４１０、マイク４２０、シリンダ４３０、及び、スピーカ４４０を備えている。
【００６２】
受信部４１０は、電子鍵５００が発信するキー番号を受信可能な近距離通信モジュールである。
【００６３】
マイク４２０は、帰宅した住人（家族）の合言葉の声を取り込むことが可能な音声入力装置である。
【００６４】
シリンダ４３０は、電子鍵５００に対応する形状の鍵穴を有している。
【００６５】
スピーカ４４０は、アダプタ装置２００からの音声信号が示す音声を出力する。
【００６６】
（電子鍵５００の構成）
図４の（ｂ）に示すように、電子鍵５００は、送信部５１０を備えている。
【００６７】
送信部５１０は、電子鍵５００に固有のキー番号を発信可能な近距離通信モジュールである。
【００６８】
以上、遠隔制御システムを構成する主要な各機器の構成（概要および構成）について説明した。
【００６９】
（電子鍵５００に関する設定について）
次に、電子鍵５００の所有者等の設定について、図６〜図１４を参照しながら説明する。
【００７０】
図６は、ＳＮＳサーバ１００に記録されているデータ（具体的には、上記設定が行われる前におけるデータ）を模式的に例示した図である。
【００７１】
図７〜図１３は、所定のＳＮＳアプリケーション（ＳＮＳサーバ１００にアクセスするアプリケーション）が起動しているユーザ端末に表示される設定画面群の一部を例示した図である。
【００７２】
図１４は、ＳＮＳサーバ１００に記録されているデータ（具体的には、上記設定の完了後におけるデータ）を模式的に例示した図である。
【００７３】
ＳＮＳサーバ１００には、リンクされたユーザ端末およびともだち家電の各々のＩＤ（ユーザ端末ＩＤ、家電ＩＤ）、該ともだち家電の機器種別情報、該ともだち家電を示すアバタ画像のファイル名、該ともだち家電のニックネーム、並びに、ＳＮＳサーバ１００が該ともだち家電と通信するために参照する接続先情報が記録されたレコードを含むテーブルが記録される。図６の（ａ）は、そのようなテーブルを模式的に示している。
【００７４】
図６の（ａ）に示すように、このテーブルは、電子鍵５００のキー番号を記録するためのフィールド（例えば、「鍵１」フィールド）を含んでいる。図６の（ａ）に示すように、「機器種別」フィールドの値が“電子錠”であるようなレコードについては、「鍵１」フィールド等に電子鍵５００のキー番号の値が記録される。
【００７５】
また、ＳＮＳサーバ１００には、ＳＮＳに登録されている各ユーザのユーザＩＤ、ファミリーＩＤ、パスワード、及び、名前が記録されたレコードを含むテーブルが記録されている。図６の（ｂ）は、そのようなテーブルを模式的に示している。
【００７６】
図６の（ｂ）に示すように、このテーブルは、「キー番号」フィールド、「アバタデータ」フィールド、「音声データ」フィールド、「開錠用合言葉」フィールド、及び、「施錠用合言葉」フィールドを含んでいる。これらのフィールドは、電子鍵５００の所有者等の設定を行う前には、空値になっている。
【００７７】
（電子錠のＳＮＳへの登録）
ユーザが、ユーザ端末にインストールされている所定のＳＮＳアプリケーションを起動させ、ＳＮＳに対するログイン操作を行うと、ユーザ端末は、ユーザＩＤ、パスワード、及び、端末ＩＤをＳＮＳサーバ１００に送信する。ＳＮＳサーバ１００は、該ユーザＩＤおよび該パスワードが記録されたレコードが図６の（ｂ）のテーブルに含まれているかを確認した上で、当該ユーザ用のホーム画面をユーザ端末に表示させる。
【００７８】
ユーザがメニュー項目を表示させる操作を行うと、ユーザ端末は、例えば、図７の左上の画面を表示する。
【００７９】
ユーザが「ともだち家電招待」の項目を選択すると、ＳＮＳサーバ１００は、端末ＩＤと図６の（ａ）のテーブルとを参照してユーザ端末とリンクされているともだち家電を検出し、例えば、図７の右上の画面をユーザ端末に表示させる。図７の右上の画面は、電子錠が検出された結果、表示される画面である。
【００８０】
ユーザが「次へ」ボタンを押すと、ユーザ端末は、例えば、図７の左下の画面を表示する。
【００８１】
この画面において、電子錠のアバタ画像、及び、電子錠の掲示板への書き込み頻度を設定し、「登録」ボタンを押すと、ＳＮＳサーバ１００は、電子錠をＳＮＳに登録する。そして、ＳＮＳサーバ１００は、図６の（ａ）のテーブルを参照して、例えば、図７の右下の画面をユーザ端末に表示させる。図７の右下の画面には、該電子錠に登録されている全ての電子鍵のキー番号が提示される。
【００８２】
ユーザがこの画面でいずれかの電子鍵を選択すると、ユーザ端末は、図８の左の画面を表示する。以降、ユーザは、選択した電子鍵の所有者等を設定する操作を行うことになる。
【００８３】
（電子錠の所有者の登録）
図８の左の画面において、ユーザが「名前」の項目を選択すると、ＳＮＳサーバ１００は、図８の右の画面をユーザ端末に表示させる。
【００８４】
この画面において、ユーザが、図７の右下の画面で選択した電子鍵の所有者を選択すると、ＳＮＳサーバ１００は、図６の（ｂ）のテーブルにおける、選択された所有者に対応するレコードの「キー番号」フィールドに該電子鍵のキー番号を記録する。
【００８５】
電子鍵の所有者の選択を終えると、ユーザは、「声紋」「開錠」及び「施錠」の各項目を選択できるようになる。
【００８６】
（電子錠の所有者の声紋の登録）
図９の左上の画面において、ユーザが「声紋」の項目を選択すると、ユーザ端末は、Ｓ図９の右上の画面を表示する。
【００８７】
ユーザが「声紋登録開始」ボタンを押すと、ユーザ端末は、マイクを有効にし、ユーザの声を取り込むための処理を開始する。
【００８８】
声紋登録に成功した場合、ユーザ端末は、図９の左下の画面を表示する。即ち、ユーザ端末は、以下の各処理が成功した場合、図９の左下の画面を表示する。
・ユーザ端末によるユーザの声の取り込み
・取り込んだ声を示す音声ファイルのユーザ端末からＳＮＳサーバ１００へのアップロード
・ＳＮＳサーバ１００による図６の（ｂ）の「音声データ」フィールドへの音声ファイルのファイル名の記録
一方、声紋登録に成功しなかった場合、ユーザ端末は、図９の右下の画面を表示する。
【００８９】
（電子錠の所有者の開錠用合言葉の登録）
図１０の左上の画面において、ユーザが「開錠」ボタンを押すと、ユーザ端末は、図１０の右上の画面を表示する。
【００９０】
この画面において、ユーザが、「テキスト入力」ボタンを押すと、ユーザ端末は、図９の右下の画面を表示する。
【００９１】
この画面において、ユーザがテキストボックスに開錠用合言葉を入力し、「ＯＫ」ボタンを押すと、ユーザ端末は、開錠用合言葉を示すテキストファイルをＳＮＳサーバ１００に送信する。ＳＮＳサーバ１００は、テキストファイルに記載されている開錠用合言葉の文字列を図６の（ｂ）の「開錠用合言葉」フィールドに記録する。
【００９２】
図１１の左上の画面において、ユーザが「音声入力」ボタンを押すと、ユーザ端末は、図１１の右上の画面を表示するとともに、マイクを有効にし、ユーザの開錠用合言葉を登録するための処理を開始する。
【００９３】
開錠用合言葉の登録に成功した場合、ユーザ端末は、図１１の左下の画面を表示する。即ち、ユーザ端末は、以下の各処理が成功した場合、図１１の左下の画面を表示する。
・ユーザ端末によるユーザの開錠用合言葉の声の取り込み
・取り込んだ声を示す音声ファイルのユーザ端末からＳＮＳサーバ１００へのアップロード
・ＳＮＳサーバ１００による、音声認識技術を用いた音声ファイルからのテキストファイルの生成
・ＳＮＳサーバ１００による、テキストファイルに記載されている開錠用合言葉の文字列の、図６の（ｂ）の「開錠用合言葉」フィールドへの記録
一方、開錠用合言葉の登録に成功しなかった場合、ユーザ端末は、図１１の右下の画面を表示する。
【００９４】
（電子錠の所有者の施錠用合言葉の登録）
図１２の左上の画面において、ユーザが「施錠」ボタンを押すと、ユーザ端末は、図１２の右上の画面を表示する。図１２及び図１３を、図１０及び図１１と比較するとわかるように、ユーザは、錠を閉めるための合言葉（施錠用合言葉）を、開錠用合言葉と同様の方法で登録することができる。
【００９５】
以上、電子鍵５００に関する設定について説明した。
【００９６】
佐藤家の電子錠システムに含まれる各電子鍵５００について上記の設定が完了すると、図６の（ｂ）のテーブルは、図１４のテーブルに更新される。
【００９７】
（ＳＮＳサーバ１００の動作）
次に、ＳＮＳサーバ１００による、電子錠４００を開錠または施錠させるための動作について、図１５を更に参照しながら説明する。図１５は、該動作を示すフローチャートである。
【００９８】
電子鍵５００を持つ人物が電子錠４００に近づくと、電子錠４００の受信部４１０（転送部）は、電子鍵５００からキー番号を受信し、受信したキー番号を施開錠操作機器３００に転送する。施開錠操作機器３００は、キー番号をアダプタ装置２００に転送し、アダプタ装置２００は、該キー番号を該ルータ６００を介してＳＮＳサーバ１００に転送する。
【００９９】
ＳＮＳサーバ１００は、このキー番号をルータ６００から取得すると、図１５のフローチャートに従った動作を開始する。
【０１００】
ステップＳ１において、比較処理部１２２は、取得処理部１２１が取得し、記憶部１３０に一時的に記録したキー番号を含むレコード（以下、対象レコードとも称する）を図１４のテーブルの中から検索する。
【０１０１】
比較処理部１２２は、対象レコードを見つけられなかった場合、記憶部１３０に一時的に記録したキー番号を削除し、ステップＳ７に進む。ステップＳ７については後述する。
【０１０２】
一方、比較処理部１２２が対象レコードを見つけた場合、ＳＮＳサーバ１００は、ステップＳ２に進む。
【０１０３】
ステップＳ２において、取得処理部１２１は、同じルータ６００から音声データを取得したか否かを判定する。取得処理部１２１は、同じルータ６００から音声データを取得するまでステップＳ２を繰り返す。
【０１０４】
なお、取得処理部１２１は、ステップＳ２の反復を開始してから一定時間が経過した時点でも同じルータ６００から音声データを取得できない場合には、記憶部１３０に一時的に記録したキー番号を削除し、ステップＳ７に進んでもよい。
【０１０５】
ステップＳ２において、取得処理部１２１が、同じルータ６００から音声データを取得したと判定すると、ＳＮＳサーバ１００は、ステップＳ３に進む。
【０１０６】
ステップＳ３において、比較処理部１２２は、取得処理部１２１が取得し、記憶部１３０に一時的に記録した音声データと、対象レコードの「音声データ」フィールドの値によって示されている音声データと、を比較する。
【０１０７】
ステップＳ４において、比較処理部１２２は、ステップＳ３での比較の結果に基づいて、２つの音声データが同じ自分の声を示している（即ち、鍵５００を持っている人物は鍵５００の所有者である）か否かを判定する。
【０１０８】
比較処理部１２２は、鍵５００を持っている人物は鍵５００の所有者でないと判定した場合、取得処理部１２１によって取得され、記憶部１３０に一時的に記録されているキー番号および音声データを削除し、ステップＳ７に進む。ステップＳ７については後述する。
【０１０９】
一方、比較処理部１２２は、鍵５００を持っている人物は鍵５００の所有者であると判定した場合、ステップＳ５に進む。
【０１１０】
ステップＳ５において、比較処理部１２２は、公知の音声認識技術により、記憶部１３０に一時的に記録されている音声データから、鍵５００を持っている人物が発した言葉を示すテキストデータを生成する。
【０１１１】
そして、ステップＳ５において、比較処理部１２２は、テキストデータに記載されている言葉が鍵５００の所有者の施錠用合言葉または開錠用合言葉と一致するか否かを判定する。
【０１１２】
比較処理部１２２は、テキストデータに記載されている言葉が鍵５００の所有者の施錠用合言葉とも開錠用合言葉とも一致しない場合には、記憶部１３０に一時的に記録されているキー番号および音声データを削除し、ステップＳ７に進む。ステップＳ７については後述する。
【０１１３】
一方、比較処理部１２２は、テキストデータに記載されている言葉が鍵５００の所有者の施錠用合言葉と開錠用合言葉とのいずれかと一致する場合には、ステップＳ６に進む。
【０１１４】
ステップＳ６において、比較処理部１２２は、認証結果（施錠ＯＫまたは開錠ＯＫ）を示す情報を電子錠制御処理部１２３に通知し、電子錠制御処理部１２３は、認証結果（認証ＯＫ）を示す情報と、比較処理部１２２からの情報に応じたコマンド（即ち、テキストデータに記載されている言葉と一致する合言葉に応じたコマンド）をアダプタ装置２００に通知する。
【０１１５】
ステップＳ６の後、ＳＮＳサーバ１００は、図１５のフローチャートに従った動作を終了する。
【０１１６】
ステップＳ７において、比較処理部１２２は、認証結果（認証ＮＧ）を示す情報を電子錠制御処理部１２３に通知し、電子錠制御処理部１２３は、認証結果（認証ＮＧ）を示す情報をアダプタ装置２００に通知する。
【０１１７】
ステップＳ７の後、ＳＮＳサーバ１００は、図１５のフローチャートに従った動作を終了する。
【０１１８】
なお、ステップＳ６の後、通知を受けたアダプタ装置２００は、認証結果（施錠ＯＫまたは開錠ＯＫ）を示す情報を施開錠操作機器３００に転送する。
【０１１９】
施開錠操作機器３００は、アダプタ装置２００からのコマンドに応じた信号（施錠信号または開錠信号）を電子錠４００に通知し、電子錠４００は、通知された信号に従って、施錠動作または開錠動作を行う。
【０１２０】
一方、ステップＳ７の後、通知を受けたアダプタ装置２００は、認証結果（認証ＮＧ）を示す情報を施開錠操作機器３００に転送するとともに、電子錠４００を開錠できない旨の音声をスピーカ４４０から出力する。
【０１２１】
（ＳＮＳサーバ１００の利点）
以上の説明からＳＮＳサーバ１００（開錠処理装置）について以下のことが言える。
・ＳＮＳサーバ１００は、電子鍵５００との近距離通信が可能な電子錠４００を開錠させる電子錠制御処理部１２３（電子錠制御部、電子錠制御手段）を備えている。
・ＳＮＳサーバ１００は、電子鍵５００に固有のキー番号（固有情報）と電子鍵５００の所有者の声を示す音声データ（音声情報）とが紐付けて記録されている記憶部１３０（記録媒体）を参照する比較処理部１２２（参照処理部、参照手段）を備えている。
・ＳＮＳサーバ１００は、電子鍵５００を持つ人物が電子錠４００に近づいた場合に、電子錠４００が電子鍵５００から受信したキー番号を取得する取得処理部１２１（固有情報取得部、固有情報取得手段）を備えている。
・取得処理部１２１（音声情報取得部、音声情報取得手段）は、電子鍵５００を持つ人物が発した声を示す音声データ（音声情報）を取得する。
・電子錠制御処理部１２３が電子錠４００を開錠させるのは、取得処理部１２１が取得したキー番号に紐付けられている音声データ（対象レコードの「音声データ」フィールドの値によって示されている音声データ）と、取得処理部１２１が取得した音声データとの比較によって、「電子鍵５００を持つ人物は電子鍵５００の所有者である」と判定した場合に限られる。
【０１２２】
上記の構成によれば、ＳＮＳサーバ１００は、電子鍵５００の所有者が電子鍵５００を携帯した上で玄関のドアの前で開錠用合言葉を発しない限り、電子錠４００を開錠させる処理を行わない。
【０１２３】
従って、ＳＮＳサーバ１００は、建物内部のセキュリティを従来よりも向上させることができる。
【０１２４】
また、ＳＮＳサーバ１００の上記の構成により、電子鍵５００の所有者は、電子鍵５００を携帯した上で玄関のドアの前で開錠用合言葉を発するだけで、電子錠４００を開けることができる。即ち、ＳＮＳサーバ１００は、電子鍵５００の所有者が鍵をシリンダに差し込む手間をかけることなく電子錠４００を開けることを可能にすると言える。
【０１２５】
（実施形態１の付記事項１）
上述のように、本実施形態では、電子錠制御処理部１２３は、遠隔制御によって、電子錠４００の開錠に加えて電子錠４００の施錠を行うようになっている。
【０１２６】
記憶部１３０には、電子錠４００を施錠させるために電子鍵５００の所有者が用いる施錠用合言葉を示す情報が記録されている。
【０１２７】
電子錠制御処理部１２３は、取得処理部１２１が取得したキー番号に紐付けられている音声データと、取得処理部１２１が取得した音声データとの比較によって「電子鍵５００を持つ人物は電子鍵５００の所有者である」と判定した場合であって、尚且つ、「取得処理部１２１が取得した音声データは電子鍵５００の所有者の施錠用合言葉の声を示している」と判定した場合に、電子錠４００を施錠するようになっている。
【０１２８】
しかしながら、本発明はそのような構成に限定されない。
【０１２９】
即ち、本発明の別の実施形態に係るＳＮＳサーバの電子錠制御処理部は、遠隔制御によって、電子錠の開錠のみを行うようになっていてもよい。この場合、記憶部には、電子鍵の所有者が用いる施錠用合言葉が記録されない。また、この場合、電子錠制御処理部は、「取得処理部が取得した音声データは、電子鍵５００の所有者の施錠用合言葉の声を示しているか否か」の判定も行わない。
【０１３０】
（実施形態１の付記事項２）
上述のように、本実施形態では、電子錠４００を開錠させるために電子鍵５００の所有者が用いる開錠用合言葉を示す情報が記憶部１３０に記録されている。
【０１３１】
電子錠制御処理部１２３は、取得処理部１２１が取得したキー番号に紐付けられている音声データと、取得処理部１２１が取得した音声データとの比較によって「電子鍵５００を持つ人物は電子鍵５００の所有者である」と判定した場合であって、尚且つ、「取得処理部１２１が取得した音声データは電子鍵５００の所有者の開錠用合言葉の声を示している」と判定した場合に、電子錠４００を開錠するようになっている。
【０１３２】
しかしながら、本発明はそのような構成に限定されない。
【０１３３】
即ち、本発明の別の実施形態に係るＳＮＳサーバの電子錠制御処理部は、遠隔制御によって、電子錠の開錠のみを行うようになっており、記憶部には、電子鍵の所有者が用いる開錠用合言葉が記録されていなくてもよい。
【０１３４】
この場合、ＳＮＳサーバは、図１５のステップＳ４において「電子鍵５００を持っている人物は電子鍵５００の所有者である」と判定したことをトリガとして、認証結果（認証ＯＫ）を示す情報と開錠コマンドとをアダプタ装置２００に通知してもよい。
【０１３５】
ただし、該別の実施形態よりも実施形態１のほうが好ましい実施形態であると言える。実施形態１に係るＳＮＳサーバ１００は、電子鍵５００を不正に入手し、更に、電子鍵５００の所有者の声を密かに録音した人物が、電子錠４００を開けることをほぼ防ぐことができるからである。
【０１３６】
（実施形態１の付記事項３）
ＳＮＳサーバ１００の電子錠制御処理部１２３は、取得処理部１２１が取得したキー番号に紐付けられている音声データと、取得処理部１２１が取得した音声データとの比較によって「電子鍵５００を持つ人物は電子鍵５００の所有者である」と判定した場合であって、尚且つ、「取得処理部１２１が取得した音声データは電子鍵５００の所有者の開錠用合言葉の声を示している」と判定した場合に、電子錠４００を施錠するための処理に加え、以下の処理を行ってもよい。
【０１３７】
即ち、電子錠制御処理部１２３は、電子鍵５００の所有者の行動ログに、上記判定の時刻を示す時刻情報と、該電子鍵５００の所有者が帰宅した旨を示す行動種別情報とを含むレコードを追加する処理を行ってもよい。
【０１３８】
同様に、ＳＮＳサーバ１００の電子錠制御処理部１２３は、取得処理部１２１が取得したキー番号に紐付けられている音声データと、取得処理部１２１が取得した音声データとの比較によって「電子鍵５００を持つ人物は電子鍵５００の所有者である」と判定した場合であって、尚且つ、「取得処理部１２１が取得した音声データは電子鍵５００の所有者の施錠用合言葉の声を示している」と判定した場合に、電子錠４００を施錠するための処理に加え、以下の処理を行ってもよい。
【０１３９】
即ち、電子錠制御処理部１２３は、電子鍵５００の所有者の行動ログに、上記判定の時刻を示す時刻情報と、該電子鍵５００の所有者が外出した旨を示す行動種別情報とを含むレコードを追加する処理を行ってもよい。
【０１４０】
なお、上記ＳＮＳアプリケーションは、佐藤家の各住人がＳＮＳにログインした場合に当該住人が佐藤家の他の住人の行動ログを確認できるように、設計されていてもよい。
【０１４１】
＜実施形態２＞
以下、更に、図１６〜１８を参照して、本発明の別の一実施形態に係る遠隔制御システムについて説明する。なお、説明の便宜上、実施形態１にて説明した部材と全く同じ機能又は略同じ機能を有する部材については、基本的には、同じ符号を付記した上でその説明を省略する。
【０１４２】
図１６は、本実施形態において、佐藤家の各人が所有する電子鍵のキー番号を示す図である。図１７は、電子鍵に関する設定の完了後において本実施形態に係るＳＮＳサーバに記録されているデータを模式的に例示した図である。図１８は、本実施形態に係るＳＮＳサーバによる電子錠を開錠または施錠させるための動作を示すフローチャートである。
【０１４３】
（遠隔制御システムの概要）
本実施形態に係る遠隔制御システムは、実施形態１に係る遠隔制御システムと同様に、ＳＮＳサーバが、電子錠４００の遠隔制御によって電子錠４００の開錠と電子錠４００の施錠とを行う機能を備えている。
【０１４４】
一方、本実施形態に係る遠隔制御システムは、実施形態１に係る遠隔制御システムと以下の点で異なっている。
【０１４５】
即ち、実施形態１に係る遠隔制御システムは、家毎にその家の各住人が自身の専用の電子鍵５００を所有することを前提として構築されており、各住人の専有する電子鍵５００は、他の住人の専有する電子鍵５００とは、発信するキー番号が異なっていた。
【０１４６】
これに対し、本実施形態に係る遠隔制御システムは、家毎にその家の全住人（例えば、佐藤家の住人から構成されるグループの全構成員）で人数分の電子鍵５００を共有することを前提として構築されており、各住人が使用する電子鍵５００は、他の住人が使用する電子鍵５００と全く同じものとなっている。即ち、図１６に示すように、本実施形態では、家の各住人が使用する電子鍵５００は、その家に固有のキー番号を発信するようになっている。
【０１４７】
本実施形態に係る遠隔制御システムは、図１〜４に示されている、ＳＮＳサーバ１００Ａ、アダプタ装置２００、施開錠操作機器３００、電子錠４００、電子鍵５００、及び、公知のルータ６００を含んでいる。
【０１４８】
実施形態１と同様に、ＳＮＳサーバ１００Ａはクラウド上に設置されており、アダプタ装置２００、施開錠操作機器３００、電子錠４００、及び、ルータ６００は、佐藤家の自宅に設置されている。
【０１４９】
（ＳＮＳサーバ１００Ａの構成）
ＳＮＳサーバ１００Ａは、ＳＮＳサーバ１００と類似の機能を備えたサーバである。
【０１５０】
図３の（ａ）に示すように、ＳＮＳサーバ１００Ａは、通信Ｉ／Ｆ部１１０、制御部１２０Ａ、及び、記憶部１３０を備えている。
【０１５１】
制御部１２０Ａは、ＳＮＳサーバ１００Ａ全体を統括的に制御するＣＰＵである。
【０１５２】
記憶部１３０は、様々なデータ（ＳＮＳ用のサーバアプリケーションのデータや、ＳＮＳに関する設定データ（図１７のデータ等））が記録されている記録媒体である。
【０１５３】
なお、電子鍵５００に関する設定操作が完了すると、記憶部１３０には、図１７に示すように、その電子鍵５００のキー番号と、その電子鍵５００の各共有者の声を示す音声データと、各共有者が使用する開錠用合言葉を示す文字列と、が紐付けて記録される。即ち、ＳＮＳには、電子鍵５００のキー番号と、その電子鍵５００の各共有者の声を示す音声データと、各共有者が使用する開錠用合言葉を示す文字列と、が紐付けられた状態で登録される。
【０１５４】
制御部１２０Ａは、ＳＮＳ用のサーバアプリケーションを実行することによって、図５に示すように、取得処理部１２１、比較処理部１２２Ａ、電子錠制御処理部１２３、及び、設定受付処理部１２４Ａとして機能する。
【０１５５】
比較処理部１２２Ａ（参照処理部）は、記憶部１３０を参照し、取得処理部１２１によってキー番号の取得先のルータ６００から取得された音声データと、該キー番号に紐付けてＳＮＳに登録されている各音声データとを比較する。
【０１５６】
比較処理部１２２Ａは、「取得処理部１２１が取得した音声データとＳＮＳに登録されているいずれかの音声データとは、同じ人物の声を示している（即ち、鍵５００を持っている人物は鍵５００の共有者の一人である）」と判定した場合、実施形態１と同様に、取得処理部１２１によって記録された音声データから、鍵５００を持つ人物が発した声を示すテキストデータを生成する。
【０１５７】
比較処理部１２２Ａは、生成したテキストデータが鍵５００の各共有者が使用する開錠用合言葉を示している場合に限り、認証結果（開錠ＯＫ）を示す情報を電子錠制御処理部１２３に通知する。
【０１５８】
設定受付処理部１２４Ａは、電子錠４００を制御するための合言葉等を設定する操作の内容に基づき、記憶部１３０に記録されているＳＮＳに関する設定データを更新する。
【０１５９】
以上、ＳＮＳサーバ１００Ａの構成について説明した。
【０１６０】
なお、ＳＮＳサーバ１００Ａが図１７のデータを得るためには、電子錠４００を制御するための合言葉等を設定が必要となるが、本実施形態では、電子錠４００を制御するための合言葉等を設定するための設定画面の説明については省略する。
【０１６１】
（ＳＮＳサーバ１００Ａの動作）
次に、ＳＮＳサーバ１００Ａによる、電子錠４００を開錠または施錠させるための動作について、図１８を参照しながら説明する。
【０１６２】
電子鍵５００を持つ人物が電子錠４００に近づくと、電子錠４００は、電子鍵５００からキー番号を受信する。ＳＮＳサーバ１００Ａは、このキー番号をルータ６００から取得すると、図１８のフローチャートに従った動作を開始する。
【０１６３】
ステップＳ２１、ステップＳ２２およびステップＳ２７は、それぞれ、実施形態１で説明したステップＳ１、ステップＳ２およびステップＳ７と同様の工程であるので、説明を省略する。
【０１６４】
ステップＳ２２において、取得処理部１２１が、同じルータ６００から音声データを取得したと判定すると、ＳＮＳサーバ１００Ａは、ステップＳ２３に進む。
【０１６５】
ステップＳ２３において、比較処理部１２２Ａは、図１７のテーブルにおける、取得処理部１２１が取得したキー番号を含むレコード（対象レコード）の各「音声データ」フィールドの値によって示されている音声データと、取得処理部１２１が取得した音声データと、を比較する。
【０１６６】
ここで、「音声データ」フィールドとは、図１７の「音声データ１」フィールドや、「音声データ２」フィールド、「音声データ３」フィールド等のことを指している。また、図１７の「音声データ１」フィールド、「音声データ２」フィールド、及び、「音声データ３」フィールドは、対象レコードのキー番号を発信する電子鍵５００を共有するグループの各構成員（例えば、佐藤家の各住人）の声を示す音声情報である。
【０１６７】
ステップＳ２４において、比較処理部１２２Ａは、ステップＳ２３での比較の結果に基づいて、「取得処理部１２１が取得した音声データとＳＮＳに登録されているいずれかの音声データとが、同じ人物の声を示している（即ち、鍵５００を持っている人物は鍵５００の共有者の一人である）」か否かを判定する。
【０１６８】
比較処理部１２２Ａは、鍵５００を持っている人物は鍵５００の共有者の一人でないと判定した場合、取得処理部１２１によって取得され、記憶部１３０に一時的に記録されているキー番号および音声データを削除し、ステップＳ２７に進む。
【０１６９】
一方、比較処理部１２２Ａは、鍵５００を持っている人物は鍵５００の共有者の一人であると判定した場合、ステップＳ２５に進む。
【０１７０】
ステップＳ２５において、比較処理部１２２Ａは、公知の音声認識技術により、記憶部１３０に一時的に記録されている音声データから、鍵５００を持っている人物が発した言葉を示すテキストデータを生成する。
【０１７１】
そして、ステップＳ２５において、比較処理部１２２Ａは、テキストデータに記載されている言葉が上記人物（即ち、鍵５００の共有者）によって使用される施錠用合言葉または開錠用合言葉と一致するか否かを判定する。ここで、該施錠用合言葉は、対象レコードの「家族共通の施錠用合言葉」フィールドに記録されており、該開錠用合言葉は、対象レコードの「家族共通の開錠用合言葉」フィールドに記録されている。
【０１７２】
比較処理部１２２Ａは、テキストデータに記載されている言葉が鍵５００の共有者によって使用される施錠用合言葉とも開錠用合言葉とも一致しない場合には、記憶部１３０に一時的に記録されているキー番号および音声データを削除し、ステップＳ２７に進む。
【０１７３】
比較処理部１２２Ａは、テキストデータに記載されている言葉が鍵５００の共有者によって使用される施錠用合言葉と開錠用合言葉とのいずれかと一致する場合には、ステップＳ２６に進む。
【０１７４】
なお、ステップＳ２６の処理は、実施形態１で説明したステップＳ６の処理と同じである。同様に、ステップＳ２６（ステップＳ２７）の後における電子錠システムの動作は、実施形態１で説明した、ステップＳ６（ステップＳ７）の後における電子錠システムの動作と同じである。
【０１７５】
＜実施形態３＞
以下、更に、図１９〜２１を参照して、本発明の更に別の一実施形態に係る遠隔制御システムについて説明する。なお、説明の便宜上、実施形態１にて説明した部材と全く同じ機能又は略同じ機能を有する部材については、基本的には、同じ符号を付記した上でその説明を省略する。
【０１７６】
図１９は、本実施形態に係る遠隔制御システムのシステム構成図である。図２０は、本実施形態において使用される各電子機器（アダプタ装置、電子錠、及び、スマートフォン）のハードウェア構成を示すブロック図である。図２１は、本実施形態に係るＳＮＳサーバによる電子錠を開錠または施錠させるための動作を示すフローチャートである。
【０１７７】
（遠隔制御システムの概要）
本実施形態に係る遠隔制御システムは、実施形態１、２に係る遠隔制御システムと同様に、ＳＮＳサーバが、電子錠の遠隔制御によって電子錠の開錠と電子錠の施錠とを行う機能を備えている。
【０１７８】
一方、本実施形態に係る遠隔制御システムは、実施形態１、２に係る遠隔制御システムと、合言葉の声を示す音声データをＳＮＳサーバに取得させる方法が異なっている。
【０１７９】
即ち、実施形態１、２に係る遠隔制御システムとは異なり、本実施形態に係る遠隔制御システムでは、電子鍵５００の所有者は、電子錠４００Ｂを開けるために、自身のユーザ端末（スマートフォン７００）と電子鍵５００とを持って電子錠４００Ｂに近づいた上で、スマートフォン７００に開錠用合言葉の声を取り込ませる。
【０１８０】
ユーザがマイクに開錠用合言葉の声を取り込ませると、スマートフォン７００の制御部７２０は、ユーザ端末ＩＤと取り込んだ声を示す音声データとをＳＮＳサーバ１００Ｂに送信するようになっている。
【０１８１】
本実施形態に係る遠隔制御システムは、図１９、２０に示されている、ＳＮＳサーバ１００Ｂ、アダプタ装置２００Ｂ、施開錠操作機器３００、電子錠４００Ｂ、電子鍵５００、及び、公知のルータ６００を備えている。
【０１８２】
実施形態１、２と同様に、ＳＮＳサーバ１００Ｂはクラウド上に設置されており、アダプタ装置２００Ｂ、施開錠操作機器３００、電子錠４００Ｂ、及び、ルータ６００は、佐藤家の自宅に設置されている。
【０１８３】
（ＳＮＳサーバ１００Ｂの構成）
ＳＮＳサーバ１００Ｂは、ＳＮＳサーバ１００と類似の機能を備えたサーバである。
【０１８４】
図３の（ａ）に示すように、ＳＮＳサーバ１００Ｂは、通信Ｉ／Ｆ部１１０、制御部１２０Ｂ、及び、記憶部１３０を備えている。
【０１８５】
制御部１２０Ｂは、ＳＮＳサーバ１００Ｂ全体を統括的に制御するＣＰＵである。
【０１８６】
記憶部１３０は、様々なデータ（ＳＮＳ用のサーバアプリケーションのデータや、ＳＮＳに関する設定データ（図６の（ａ）のデータや図６の（ｂ）のデータ等））が記録されている記録媒体である。
【０１８７】
なお、実施形態１と同様の、電子鍵５００に関する設定操作が完了すると、記憶部１３０の図６の（ｂ）のデータは、図１４のデータに更新される。即ち、ＳＮＳには、電子鍵５００のキー番号と、その電子鍵５００を専有する１個人の声を示す音声データと、該個人の開錠用合言葉を示す文字列と、が紐付けられた状態で登録される。
【０１８８】
制御部１２０Ｂは、ＳＮＳ用のサーバアプリケーションを実行することによって、図５に示すように、取得処理部１２１Ｂ、比較処理部１２２、電子錠制御処理部１２３、及び、設定受付処理部１２４として機能する。
【０１８９】
電子鍵５００を持つ人物が電子錠４００に近づいた場合、取得処理部１２１Ｂ（固有情報取得部）は、電子鍵５００によって発信され、電子錠４００Ｂが受信したキー番号（固有情報）をルータ６００を介して取得する。
【０１９０】
取得処理部１２１Ｂは、ルータ６００を介して受信したキー番号がＳＮＳに登録されている場合、図６の（ａ）のテーブルにおけるそのキー番号が記録されているレコードを特定する。
【０１９１】
電子鍵５００を持つ人物がスマートフォン７００のマイクに向かって声を発した場合、取得処理部１２１Ｂ（音声情報取得部）は、マイクによって取り込まれたその声を示す音声データを、スマートフォン７００のユーザ端末ＩＤと一緒に取得する。
【０１９２】
取得処理部１２１Ｂは、スマートフォン７００から取得したユーザ端末ＩＤが上記レコードに記録されているユーザＩＤと等しい場合には（即ち、スマートフォン７００が後述の“特定のユーザ端末”である場合）、該レコードに記録されているキー番号と、該ユーザ端末ＩＤと一緒にスマートフォン７００から取得した音声データと、のペアを記憶部１３０に一時的に記録する。
【０１９３】
（アダプタ装置２００Ｂの構成）
アダプタ装置２００Ｂは、アダプタ装置２００と同様の機能を備えているが、スピーカから音声を出力したり、マイクからの音声信号を受信したりする機能を備えていない。
【０１９４】
図２０の（ａ）に示すように、アダプタ装置２００Ｂは、ＷｉＦｉ通信モジュール部２１０、制御部２２０Ｂ、及び、有線通信モジュール部２３０を備えている。
【０１９５】
制御部２２０Ｂは、アダプタ装置２００全体を統括的に制御するＣＰＵである。
【０１９６】
ユーザ端末（スマートフォン７００）とのリンク設定操作が行われると、制御部２２０Ｂは、施開錠操作機器３００に登録されている、電子錠の家電ＩＤおよび家電種別情報、並びに、電子錠４００Ｂに付属する各電子鍵５００のキー番号をＳＮＳサーバ１００Ｂに通知する。
【０１９７】
また、電子錠がＳＮＳに登録されると、制御部２２０は、所定のプログラムを実行することにより、実施形態１で説明した処理２および処理３を行う。
【０１９８】
（電子錠４００Ｂの構成）
図２０の（ｂ）に示すように、電子錠４００Ｂは、受信部４１０、及び、シリンダ４３０を備えているが、マイク及びスピーカを備えていない。
【０１９９】
（スマートフォン７００の構成）
図２０の（ｃ）に示すように、スマートフォン７００（携帯端末）は、キャリア通信モジュール部７１０、制御部７２０、記憶部７３０、マイク７４０、及び、ＷｉＦｉ通信モジュール部７５０を備えている。
【０２００】
キャリア通信モジュール部７１０は、キャリア網を利用したデータ通信を行うための通信モジュールである。
【０２０１】
制御部７２０は、スマートフォン７００全体を統括的に制御するＣＰＵである。
【０２０２】
制御部７２０（送信処理部）は、ユーザが、所定のアプリケーションをＣＰＵに実行させるための操作を行った上でマイク７４０に向かって開錠用合言葉を発すると、マイク７４０が取り込んだ開錠用合言葉の声を示す音声データを生成し、ユーザ端末ＩＤと音声データとをＳＮＳサーバ１００Ｂに送信する。
【０２０３】
記憶部７３０は、所定のＳＮＳアプリケーションやスマートフォン７００のＩＤ（ユーザ端末ＩＤ）が記録されている記録媒体である。
【０２０４】
マイク７４０（マイク部）は、公知の一般的なマイクである。
【０２０５】
ＷｉＦｉ通信モジュール部７５０は、無線ＬＡＮに接続するための通信モジュールである。
【０２０６】
以上、遠隔制御システムを構成する主要な各機器の構成について説明した。
【０２０７】
なお、スマートフォン７００がアダプタ装置２００と同じ無線ＬＡＮに接続している間に限り、ユーザは、スマートフォン７００を電子錠４００Ｂとリンクさせることができる。
【０２０８】
（ＳＮＳサーバ１００Ｂの動作）
次に、ＳＮＳサーバ１００Ｂによる、電子錠４００Ｂを開錠または施錠させるための動作について、図２１を参照しながら説明する。
【０２０９】
電子鍵５００を持つ人物が電子錠４００Ｂに近づくと、電子錠４００Ｂがキー番号を電子鍵５００から受信する。ＳＮＳサーバ１００Ｂは、このキー番号をルータ６００から取得すると、図２１のフローチャートに従った動作を開始する。
【０２１０】
ステップＳ４１は、実施形態１で説明したステップＳ１と同様の工程であるので、説明を省略する。
【０２１１】
ステップＳ４２において、取得処理部１２１Ｂは、特定のユーザ端末（Ｓ４１で取得したキー番号に紐付けられているユーザ端末ＩＤに対応するユーザ端末）から音声データを取得したか否かを判定する。取得処理部１２１Ｂは、特定のユーザ端末から音声データを取得するまでステップＳ４２を繰り返す。
【０２１２】
なお、取得処理部１２１Ｂは、ステップＳ４２の反復を開始してから一定時間が経過した時点でも同じルータ６００から音声データを取得できない場合には、記憶部１３０に一時的に記録したキー番号を削除し、ステップＳ４７に進んでもよい。
【０２１３】
ステップＳ４２において、取得処理部１２１Ｂが、特定のユーザ端末から音声データを取得したと判定すると、ＳＮＳサーバ１００Ｂは、ステップＳ４３に進む。
【０２１４】
なお、ステップＳ４３〜ステップＳ４５の処理は、それぞれ、実施形態１で説明したステップＳ３〜ステップＳ５の処理と同じである。
【０２１５】
ステップＳ４６において、ＳＮＳサーバ１００Ｂは、ステップＳ６と同様の処理を行うのに加えて、次の処理を行う。即ち、電子錠制御処理部１２３は、認証結果（認証ＯＫ）を示す情報を上記特定のユーザ端末に通知する。
【０２１６】
ステップＳ４６の後、ＳＮＳサーバ１００Ｂは、図２１のフローチャートに従った動作を終了する。
【０２１７】
ステップＳ４７において、ＳＮＳサーバ１００Ｂは、ステップＳ７と同様の処理を行う。これに加え、ステップＳ４４またはステップＳ４５後のステップＳ４７では、次の処理を行う。即ち、電子錠制御処理部１２３は、認証結果（認証ＮＧ）を示す情報を上記特定の端末に通知する。
【０２１８】
なお、ステップＳ４６の後、通知を受けたアダプタ装置２００Ｂは、認証結果（施錠ＯＫまたは開錠ＯＫ）を示す情報を施開錠操作機器３００に転送する。
【０２１９】
施開錠操作機器３００は、アダプタ装置２００Ｂからのコマンドに応じた信号（施錠信号または開錠信号）を電子錠４００に通知し、電子錠４００は、通知された信号に従って、施錠動作または開錠動作を行う。
【０２２０】
また、ステップＳ４６の後、認証結果（認証ＯＫ）を示す情報を受信したスマートフォン７００の制御部７２０は、認証ＯＫである旨を示すメッセージを出力する。
【０２２１】
一方、ステップＳ４７の後、通知を受けたアダプタ装置２００Ｂは、認証結果（認証ＮＧ）を示す情報を施開錠操作機器３００に転送し、認証結果を示す情報を受信したスマートフォン７００の制御部７２０は、認証ＮＧである旨を示すメッセージを出力する。
【０２２２】
＜実施形態４＞
以下、更に、図２２を参照して、本発明の更に別の一実施形態に係る遠隔制御システムについて説明する。なお、説明の便宜上、実施形態１にて説明した部材と全く同じ機能又は略同じ機能を有する部材については、基本的には、同じ符号を付記した上でその説明を省略する。
【０２２３】
図２２は、電子鍵に関する設定の完了後において本実施形態に係るＳＮＳサーバに記録されているデータを模式的に例示した図である。
【０２２４】
（遠隔制御システムの概要）
本実施形態に係る遠隔制御システムは、実施形態１〜３に係る遠隔制御システムと同様に、ＳＮＳサーバが、電子錠の遠隔制御によって電子錠の開錠と電子錠の施錠とを行う機能を備えている。
【０２２５】
一方、本実施形態に係る遠隔制御システムは、電子鍵５００の所有者の声（声紋）を示す音声データとして、その所有者が開錠用合言葉を発した声を示す音声データと、その所有者が施錠用合言葉を発した声を示す音声データとからなる２種類の音声データがＳＮＳに登録される点において、実施形態１〜３の遠隔制御システムとは異なっている。
【０２２６】
本実施形態に係る遠隔制御システムは、図１、２に示されている、ＳＮＳサーバ１００Ｃ、アダプタ装置２００、施開錠操作機器３００、電子錠４００、電子鍵５００、及び、公知のルータ６００を含んでいる。
【０２２７】
実施形態１〜３と同様に、ＳＮＳサーバ１００Ｃはクラウド上に設置されており、アダプタ装置２００、施開錠操作機器３００、電子錠４００、及び、ルータ６００は、佐藤家の自宅に設置されている。
【０２２８】
（ＳＮＳサーバ１００Ｃの構成）
ＳＮＳサーバ１００Ｃは、ＳＮＳサーバ１００と類似の機能を備えたサーバである。
【０２２９】
図３の（ａ）に示すように、ＳＮＳサーバ１００Ｃは、通信Ｉ／Ｆ部１１０、制御部１２０Ｃ、及び、記憶部１３０を備えている。
【０２３０】
制御部１２０Ｃは、ＳＮＳサーバ１００Ｃ全体を統括的に制御するＣＰＵである。
【０２３１】
記憶部１３０は、様々なデータ（ＳＮＳ用のサーバアプリケーションのデータや、ＳＮＳに関する設定データ（図６の（ａ）のデータや図２２の（ａ）のデータ等））が記録されている記録媒体である。
【０２３２】
なお、実施形態１と同様の、電子鍵５００に関する設定操作が完了すると、記憶部１３０の図２２の（ａ）のデータは、図２２の（ｂ）のデータに更新される。即ち、ＳＮＳには、電子鍵５００のキー番号と、その電子鍵５００を専有する１個人が開錠用合言葉を発した声を示す音声データ（開錠用音声データ）と、該個人が施錠用合言葉を発した声を示す音声データ（施錠用音声データ）と、が紐付けられた状態で登録される。
【０２３３】
制御部１２０Ｃは、ＳＮＳ用のサーバアプリケーションを実行することによって、図５に示すように、取得処理部１２１、比較処理部１２２Ｃ、電子錠制御処理部１２３、及び、設定受付処理部１２４Ｃとして機能する。
【０２３４】
比較処理部１２２Ｃ（参照処理部）は、記憶部１３０を参照し、取得処理部１２１によってキー番号の取得先のルータ６００から取得された音声データを、該キー番号に紐付けてＳＮＳに登録されている開錠用音声データと比較する。
【０２３５】
比較処理部１２２Ｃは、「取得処理部１２１が取得した音声データとＳＮＳに登録されている開錠用音声データとは、同じ人物の声を示している（即ち、鍵５００を持っている人物は鍵５００の所有者である）」と判定した場合、公知の音声認識技術を用いて、開錠用音声データ、施錠用音声データ、及び、取得処理部１２１によって記録された音声データの各々からテキストデータを生成する。
【０２３６】
比較処理部１２２Ｃは、取得処理部１２１によって記録された音声データから生成したテキストデータに記載されている言葉が、開錠用音声データから生成したテキストデータに記載されている開錠用合言葉と一致する場合に限り、認証結果（開錠ＯＫ）を示す情報を電子錠制御処理部１２３に通知する。
【０２３７】
設定受付処理部１２４Ｃは、電子錠４００を制御するための合言葉の音声等を登録する操作の内容に基づき、記憶部１３０に記録されているＳＮＳに関する設定データを更新する。
【０２３８】
以上、ＳＮＳサーバ１００Ｃの構成について説明した。
【０２３９】
なお、ＳＮＳサーバ１００Ｃが図２２のデータを得るためには、電子錠４００を制御するための合言葉の音声等の登録が必要となるが、本実施形態では、電子錠４００を制御するための合言葉の音声等を登録するための設定画面の説明については省略する。
【０２４０】
（ＳＮＳサーバ１００Ｃの動作）
次に、ＳＮＳサーバ１００Ｃによる、電子錠４００を開錠または施錠させるための動作について、図１５を参照しながら説明する。
【０２４１】
ＳＮＳサーバ１００Ｃは、実施形態１に係るＳＮＳサーバ１００と同様に、図１５のフローチャートに従った動作を行うが、一部のステップにおける具体的な処理内容がＳＮＳサーバ１００と異なっている。
【０２４２】
ここでは、該一部のステップについてのみ説明を行う。
【０２４３】
ステップＳ３において、比較処理部１２２Ｃは、図２２の（ｂ）のテーブルにおける、取得処理部１２１が取得したキー番号を含むレコード（対象レコード）の「開錠用音声データ」フィールドの値によって示されている開錠用音声データと、取得処理部１２１が取得した音声データと、を比較する。
【０２４４】
ステップＳ４において、比較処理部１２２Ｃは、ステップＳ３での比較の結果に基づいて、「取得処理部１２１が取得した音声データと該開錠用音声データとが、同じ人物の声を示している（即ち、鍵５００を持っている人物は鍵５００の所有者である）」か否かを判定する。
【０２４５】
比較処理部１２２Ｃは、鍵５００を持っている人物は鍵５００の所有者でないと判定した場合、取得処理部１２１によって取得され、記憶部１３０に一時的に記録されているキー番号および音声データを削除し、ステップＳ７に進む。
【０２４６】
一方、比較処理部１２２Ｃは、鍵５００を持っている人物は鍵５００の所有者であると判定した場合、ステップＳ５に進む。
【０２４７】
ステップＳ５において、比較処理部１２２Ｃは、公知の音声認識技術により、開錠用音声データ、対象レコードの「施錠用音声データ」フィールドの値によって示されている施錠用音声データ、及び、記憶部１３０に一時的に記録されている音声データからテキストデータを生成する。
【０２４８】
そして、ステップＳ５において、比較処理部１２２Ｃは、記憶部１３０に一時的に記録されている音声データから生成したテキストデータに記載されている言葉が、開錠用音声データから生成したテキストデータに記載されている開錠用合言葉、及び、施錠用音声データから生成したテキストデータに記載されている施錠用合言葉のいずれかと一致するか否かを判定する。
【０２４９】
比較処理部１２２Ｃは、上記テキストデータに記載されている言葉がいずれの合言葉とも一致しない場合には、記憶部１３０に一時的に記録されているキー番号および音声データを削除し、ステップＳ７に進む。
【０２５０】
比較処理部１２２Ｃは、テキストデータに記載されている言葉がいずれかの合言葉と一致する場合には、ステップＳ６に進む。
【０２５１】
なお、ステップＳ６（ステップＳ７）の後における本実施形態に係る電子錠システムの動作も、ステップＳ６（ステップＳ７）の後における実施形態１に係る電子錠システムの動作と同じである。
【０２５２】
＜実施形態５＞
以下、更に図２３〜２６を参照して、本発明の更に別の一実施形態に係る電子錠システムについて説明する。なお、説明の便宜上、実施形態１にて説明した部材と全く同じ機能又は略同じ機能を有する部材については、基本的には、同じ符号を付記した上でその説明を省略する。
【０２５３】
図２３は、本実施形態に係る電子錠システムのシステム構成図である。図２４は、電子鍵に関する設定の完了後において本実施形態に係る施開錠制御サーバに記録されているデータを模式的に例示した図である。
【０２５４】
図２５の（ａ）は、本実施形態において使用される施開錠制御サーバのハードウェア構成のブロック図を示しており、図２５の（ｂ）は、該施開錠制御サーバのＣＰＵによって実現される主要な機能構成のブロック図を示している。
【０２５５】
図２６は、該施開錠制御サーバによる電子錠を開錠または施錠させるための動作を示すフローチャートである。
【０２５６】
（電子錠システムの概要）
本実施形態に係る電子錠システムは、ソーシャルネットワーキングサービスとは何ら関係のないシステムである。
【０２５７】
図４、図２３からわかるように、本実施形態に係る電子錠システムは、施開錠制御サーバ２００Ｄ、施開錠操作機器３００、電子錠４００、電子鍵５００、及び、公知のルータ６００を含んでいる。
【０２５８】
図４、図２３からわかるように、施開錠制御サーバ２００Ｄ、施開錠操作機器３００、電子錠４００、及び、ルータ６００は、佐藤家の自宅に設置されている。電子錠４００は、玄関のドアに取り付けられている。
【０２５９】
本実施形態においても、佐藤家の各人は自身の専用の電子鍵５００を保持しており、各電子鍵５００は、公知の近距離無線通信手段を用いて、自身に固有のキー番号を間欠的に発信するようになっている。
【０２６０】
佐藤家の各人は、自身の専用の電子鍵５００を携帯して玄関に近づいた上で、玄関のドアの前で開錠用合言葉を発することにより電子錠４００を開けることができるようになっている。
【０２６１】
これにより、佐藤家の各人は、鍵を自宅の玄関のドアのシリンダに差し込む手間をかけることなく錠を開けることができ、自宅建物の内部のセキュリティをより向上させることができる。
【０２６２】
次に、電子錠システムを構成する主要な機器である施開錠制御サーバ２００Ｄの構成について説明する。
【０２６３】
（施開錠制御サーバ２００Ｄの構成）
図２５の（ａ）に示すように、施開錠制御サーバ２００Ｄは、ＷｉＦｉ通信モジュール部２１０、制御部２２０Ｄ、有線通信モジュール部２３０、及び、記憶部２４０を備えている。
【０２６４】
制御部２２０Ｄは、施開錠制御サーバ２００Ｄ全体を統括的に制御するＣＰＵである。
【０２６５】
記憶部２４０は、様々なデータ（ＣＰＵが施開錠制御を行うために実行するプログラムのデータ）が記録されている記録媒体である。
【０２６６】
なお、電子鍵５００に関する設定操作が完了すると、記憶部２４０には、図２４に示すように、電子鍵５００のキー番号と、その電子鍵５００の所有者の声を示す音声データと、その所有者が使用する開錠用合言葉を示す文字列と、その所有者が使用する施錠用合言葉を示す文字列とが紐付けて記録される。
【０２６７】
制御部２２０Ｄは、上記プログラムを実行することによって、図２５の（ａ）に示すように、取得処理部２２１、比較処理部２２２、電子錠制御処理部２２３、及び、設定受付処理部２２４として機能する。
【０２６８】
電子鍵５００を持つ人物が電子錠４００に近づいた場合、取得処理部２２１（固有情報取得部）は、電子鍵５００によって発信され、電子錠４００が受信したキー番号（固有情報）を、施開錠操作機器３００を介して取得する。
【０２６９】
電子鍵５００を持つ人物が電子錠４００に向かって声を発した場合、取得処理部２２１（音声情報取得部）は、電子錠４００によって取り込まれたその声を示す音声信号をマイク４２０から取得し、取得した音声信号から音声データ（音声ファイル）を生成する。
【０２７０】
取得処理部２２１は、施開錠操作機器３００を介して取得したキー番号が上記音声データと上記２つの文字列とに紐付けて記録されている場合、そのキー番号と、生成した音声データ（音声ファイル）と、のペアを記憶部２４０に一時的に記録する。
【０２７１】
比較処理部２２２（参照処理部）は、記憶部２４０を参照し、キー番号とでペアを成す音声データを、該キー番号と２つの上記文字列とに紐付けて記録されている音声データと比較する。
【０２７２】
比較処理部２２２は、「２つの音声データは同じ人物の声を示している（即ち、鍵５００を持っている人物は鍵５００の所有者である）」と判定した場合、公知の音声認識技術を用いて、取得処理部２２１によって記録された音声データから、鍵５００を持つ人物が発した声を示すテキストデータを生成する。
【０２７３】
比較処理部２２２は、生成したテキストデータが鍵５００の所有者によって使用される開錠用合言葉を示している場合に限り、認証結果（開錠ＯＫ）を示す情報を電子錠制御処理部２２３に通知する。
【０２７４】
電子錠制御処理部２２３（電子錠制御部）は、認証結果（開錠ＯＫ）を示す情報の通知を比較処理部２２２から受け付けた場合に限り、電子錠４００を開錠させるコマンドを施開錠操作機器３００に向けて送信する。
【０２７５】
設定受付処理部２２４は、鍵５００に関する設定操作の内容に基づき、記憶部２４０に記録されている鍵５００に関する設定データを更新する。
【０２７６】
以上、施開錠制御サーバ２００Ｄの構成について説明した。
【０２７７】
なお、施開錠制御サーバ２００Ｄが図２４のデータを得るためには、鍵５００に関する設定操作が必要となるが、本実施形態では、鍵５００に関する設定を行うための設定画面の説明については省略する。
【０２７８】
（施開錠制御サーバ２００Ｄの動作）
次に、施開錠制御サーバ２００Ｄによる、電子錠４００を開錠または施錠させるための動作について、図２６を参照しながら説明する。
【０２７９】
電子鍵５００を持つ人物が電子錠４００に近づくと、電子錠４００がキー番号を電子鍵５００から受信する。施開錠制御サーバ２００Ｄは、このキー番号を施開錠操作機器３００から取得すると、図２６のフローチャートに従った動作を開始する。
【０２８０】
ステップＳ６１において、比較処理部２２２は、取得処理部２２１が取得し、記憶部２４０に一時的に記録したキー番号を含むレコード（以下、対象レコードとも称する）を図２４のテーブルの中から検索する。
【０２８１】
比較処理部２２２は、対象レコードを見つけられなかった場合、記憶部１３０に一時的に記録したキー番号を削除し、ステップＳ６７に進む。ステップＳ６７については後述する。
【０２８２】
一方、比較処理部２２２が対象レコードを見つけた場合、施開錠制御サーバ２００Ｄは、ステップＳ６２に進む。
【０２８３】
ステップＳ６２において、取得処理部２２１は、マイク４２０から音声信号を取得したか否かを判定する。取得処理部２２１は、マイク４２０から音声信号を取得するまでステップＳ６２を繰り返す。
【０２８４】
なお、取得処理部２２１は、ステップＳ６２の反復を開始してから一定時間が経過した時点でもマイク４２０から音声信号を取得できない場合には、記憶部２４０に一時的に記録したキー番号を削除し、ステップＳ６７に進んでもよい。
【０２８５】
ステップＳ６２において、取得処理部２２１が、マイク４２０から音声信号を取得したと判定すると、施開錠制御サーバ２００Ｄは、ステップＳ６３に進む。
【０２８６】
ステップＳ６３において、取得処理部２２１は、マイク４２０から取得した音声信号から音声データ（音声ファイル）を生成する。比較処理部２２２は、取得処理部２２１が生成し、記憶部２４０に一時的に記録した音声データと、対象レコードの「音声データ」フィールドの値によって示されている音声データと、を比較する。
【０２８７】
ステップＳ６４において、比較処理部２２２は、ステップＳ６３での比較の結果に基づいて、２つの音声データが同じ自分の声を示している（即ち、鍵５００を持っている人物は鍵５００の所有者である）か否かを判定する。
【０２８８】
比較処理部２２２は、鍵５００を持っている人物は鍵５００の所有者でないと判定した場合、記憶部１３０に一時的に記録されているキー番号と音声データとのペアを削除し、ステップＳ６７に進む。ステップＳ６７については後述する。
【０２８９】
一方、比較処理部２２２は、鍵５００を持っている人物は鍵５００の所有者であると判定した場合、ステップＳ６５に進む。
【０２９０】
ステップＳ６５において、比較処理部２２２は、実施形態１で説明したステップＳ５と同様の処理を行う。
【０２９１】
比較処理部２２２は、テキストデータに記載されている言葉が鍵５００の所有者の施錠用合言葉とも開錠用合言葉とも一致しない場合には、記憶部２４０に一時的に記録されているキー番号と音声データとのペアを削除し、ステップＳ６７に進む。ステップＳ６７については後述する。
【０２９２】
一方、比較処理部２２２は、テキストデータに記載されている言葉が鍵５００の所有者の施錠用合言葉と開錠用合言葉とのいずれかと一致する場合には、ステップＳ６６に進む。
【０２９３】
ステップＳ６６において、比較処理部２２２は、認証結果（施錠ＯＫまたは開錠ＯＫ）を示す情報を電子錠制御処理部２２３に通知し、電子錠制御処理部２２３は、認証結果（認証ＯＫ）を示す情報と、比較処理部２２２からの情報に応じたコマンド（即ち、テキストデータに記載されている言葉と一致する合言葉に応じたコマンド）を施開錠操作機器３００に通知する。
【０２９４】
ステップＳ６６の後、施開錠制御サーバ２００Ｄは、図２６のフローチャートに従った動作を終了する。
【０２９５】
ステップＳ６７において、比較処理部２２２は、認証結果（認証ＮＧ）を示す情報を電子錠制御処理部２２３に通知する。ステップＳ６７において、電子錠制御処理部２２３は、認証結果（認証ＮＧ）を示す情報を施開錠操作機器３００に通知するとともに、電子錠４００を開錠できない旨の音声をスピーカ４４０から出力する。
【０２９６】
ステップＳ６７の後、施開錠制御サーバ２００Ｄは、図２６のフローチャートに従った動作を終了する。
【０２９７】
なお、ステップＳ６６の後、施開錠操作機器３００は、施開錠制御サーバ２００Ｄからのコマンドに応じた信号（施錠信号または開錠信号）を電子錠４００に通知し、電子錠４００は、通知された信号に従って、施錠動作または開錠動作を行う。
【０２９８】
＜実施形態６＞
実施形態１〜４のＳＮＳサーバ、及び、実施形態５の施開錠制御サーバ２００Ｄの制御ブロック（特に、取得処理部、比較処理部、及び、電子錠制御処理部）は、集積回路（ＩＣチップ）等に形成された論理回路（ハードウェア）によって実現してもよいし、ＣＰＵ（Central Processing Unit）を用いてソフトウェアによって実現してもよい。
【０２９９】
後者の場合、テレビ、及び、スマートフォンは、各機能を実現するソフトウェアであるプログラムの命令を実行するＣＰＵ、上記プログラム及び各種データがコンピュータ（又はＣＰＵ）で読み取り可能に記録されたＲＯＭ（Read Only Memory）又は記憶装置（これらを「記録媒体」と称する）、上記プログラムを展開するＲＡＭ（Random Access Memory）などを備えている。そして、コンピュータ（又はＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０３００】
〔その他の付記事項〕
実施形態１〜５では、電子錠が玄関のドアに取り付けられていたが、本発明は、そのような構成に限定されない。
【０３０１】
電子錠は、ロッカーのドアに取り付けられていてもよいし、商店のシャッターに取り付けられていてもよいし、自動車のドアに取り付けられていてもよいし、オフィスの各部署の部屋の出入り口のドアに取り付けられていてもよい。
【０３０２】
また、実施形態１〜４のＳＮＳサーバ、及び、実施形態５の施開錠制御サーバ２００Ｄは、電子鍵５００が発信するキー番号と該電子鍵５００の所有者の声を示す音声データとが紐付けて記録されている記録媒体を内蔵しているが、そのような記録媒体を内蔵していなくてもよい。この場合、そのような記録媒体は、各サーバの外部に設置された記憶装置であってもよい。
【０３０３】
〔まとめ〕
本発明の態様１に係る開錠処理装置（例えば、ＳＮＳサーバ１００）は、鍵（例えば、電子鍵５００）との近距離通信が可能な電子錠（例えば、電子錠４００）を開錠させる電子錠制御部（例えば、電子錠制御処理部１２３）と、鍵の固有情報（例えば、キー番号）と該鍵の所有者の声を示す音声情報とが紐付けて記録されている記録媒体（例えば、記憶部１３０）を参照する参照処理部（例えば、比較処理部１２２）と、上記鍵が上記電子錠に近づいた場合に、上記電子錠が該鍵から受信した固有情報を取得する固有情報取得部（例えば、取得処理部１２１）と、人物が発した声を示す音声情報を取得する音声情報取得部（例えば、取得処理部１２１）とを備え、上記電子錠制御部が上記電子錠を開錠させるのは、上記固有情報取得部が取得した固有情報に、上記音声情報取得部が取得した音声情報によって示される声を発した人物と同じ人物の声を示す音声情報が紐付けられていると判定した場合である。
【０３０４】
上記の構成によれば、上記開錠処理装置は、鍵の所有者がその鍵を携帯した上で電子錠の近くで声を発しない限り、基本的に電子錠を開錠させる処理を行わない。
【０３０５】
従って、上記開錠処理装置は、セキュリティを従来よりも向上させることができる。
【０３０６】
また、上記の構成により、鍵の所有者は、鍵を携帯した上で電子錠の近くで声を発することにより、電子錠を開けることができる。即ち、上記開錠処理装置は、鍵の所有者が鍵をシリンダに差し込む手間をかけることなく電子錠を開けることを可能にする、と言える。
【０３０７】
本発明の態様２に係る開錠処理装置は、上記態様１に係る開錠処理装置の特徴を備え、上記記録媒体には、上記電子錠を開錠させるための開錠用合言葉を示す情報が記録されており、
上記電子錠制御部は、上記固有情報取得部が取得した固有情報に、上記音声情報取得部が取得した音声情報によって示される声を発した人物と同じ人物の声を示す音声情報が紐付けられていると判定した場合であって、且つ、上記音声情報取得部によって取得された音声情報は上記開錠用合言葉の声を示していると判定した場合に、上記電子錠を開錠してもよい。
【０３０８】
上記の構成によれば、上記開錠処理装置は鍵の所有者がその鍵を携帯した上で電子錠の近くで開錠用合言葉を発しない限り、基本的に電子錠を開錠させる処理を行わない。
【０３０９】
従って、上記開錠処理装置は、セキュリティを一層向上させることができる、という更なる効果を奏する。
【０３１０】
本発明の態様３に係る開錠処理装置は、上記態様２において、上記電子錠制御部は、上記電子錠の施錠を行うようになっており、上記記録媒体には、上記電子錠を施錠させるための施錠用合言葉を示す情報が記録されており、上記電子錠制御部は、上記固有情報取得部が取得した固有情報に、上記音声情報取得部が取得した音声情報によって示される声を発した人物と同じ人物の声を示す音声情報が紐付けられていると判定した場合であって、且つ、上記音声情報取得部によって取得された音声情報は上記施錠用合言葉の声を示していると判定した場合に、上記電子錠を施錠してもよい。
【０３１１】
上記の構成によれば、鍵の所有者は、その鍵を携帯した上で電子錠の近くで施錠用合言葉を発するだけで電子錠を閉めることができる。即ち、上記開錠処理装置は、鍵の所有者が鍵をシリンダに差し込む手間をかけることなく電子錠を閉めることを可能にする、という更なる効果を奏する。
【０３１２】
本発明の態様４に係る開錠処理装置は、上記態様１〜上記態様３のいずれかにおいて、上記電子錠が、上記人物が発した声を取り込むマイク部（例えば、マイク４２０）を備えており、上記音声情報取得部は、上記マイク部により取り込まれた声を示す音声情報を取得してもよい。
【０３１３】
上記の構成によれば、鍵の所有者は、上記電子錠に備えられたマイク部に向かって声を発することにより、電子錠を開けることができる。即ち、上記開錠処理装置は、上記鍵の所有者が、上記音声情報を上記音声情報取得部に取得させるための機器を用意することなく、上記電子鍵を開けることを可能にする、という更なる効果を奏する。
【０３１４】
本発明の態様５に係る開錠処理装置は、上記態様１〜上記態様３のいずれかにおいて、上記音声情報取得部が、上記人物が発した声を取り込むマイク部（例えば、マイク７４０）を備えた携帯端末（例えば、スマートフォン７００）から、上記マイク部により取り込まれた声を示す音声情報を取得してもよい。
【０３１５】
上記の構成によれば、鍵の所有者は、上記携帯端末と上記電子鍵とを携帯して、上記携帯端末のマイク部に向かって声を発することにより、電子錠を開けることができる。即ち、上記開錠処理装置は、マイク部を備えた電子錠を用意することなく、上記鍵の所有者が上記電子鍵を開けることを可能にする、という更なる効果を奏する。
【０３１６】
本発明の態様６に係る開錠処理装置は、上記態様１〜上記態様５のいずれかに係る開錠処理装置の特徴を備え、上記記録媒体には、上記音声情報として、該鍵を専有する１個人の声（例えば、佐藤太郎の声）を示す音声情報が記録されていてもよい。
【０３１７】
上記の構成によれば、上記開錠処理装置は、基本的には、鍵を専有する１個人が自分専用の鍵を携帯した上で電子錠の近くで開錠用合言葉を発しない限り、基本的に電子錠を開錠させる処理を行わない。
【０３１８】
なお、上記開錠処理装置は、上記鍵を盗んだ者がその鍵を専有する１個人の声を示す音声情報を上記音声情報取得部に取得させることができた場合、電子錠を開錠させる処理を行い得るが、上記鍵を盗んだ者は、上記音声情報を上記音声情報取得部に取得させるには、少なくとも、その鍵を専有する１個人を特定しなければならない。
【０３１９】
従って、上記開錠処理装置は、セキュリティを一層向上させることができる、という更なる効果を奏する。
【０３２０】
本発明の態様７に係る開錠処理装置は、上記態様１〜上記態様５のいずれかに係る開錠処理装置の特徴を備え、上記記録媒体には、上記音声情報として、該鍵を共有するグループ（例えば、佐藤家に住む人から構成されるグループ）の各構成員（例えば、佐藤家の各住人）の声を示す音声情報が記録されていてもよい。
【０３２１】
上記の構成によれば、上記開錠処理装置は、上記グループにそのグループを構成する人数分の鍵を用意させることなく、「上記グループの任意の構成員が上記鍵を携帯して声を発することで上記電子錠を開けること」を可能にする、という更なる効果を奏する。
【０３２２】
本発明の態様８に係る遠隔制御システムは、鍵（例えば、電子鍵５００）と、上記鍵との近距離通信が可能な電子錠（例えば、電子錠４００）と、上記電子錠を遠隔制御する開錠処理装置（例えば、ＳＮＳサーバ１００）とを含む遠隔制御システムにおいて、上記鍵は、該鍵の固有情報（例えば、キー番号）を発信するようになっており、上記電子錠は、上記鍵が上記電子錠に近づいた場合に、上記鍵が発信する固有情報を取得し、該固有情報が上記開錠処理装置に送信されるように該固有情報を転送する転送部（例えば、受信部４１０）と、人物が発した声を取り込むマイク部（例えば、マイク４２０）とを備え、上記開錠処理装置は、遠隔制御により上記電子錠を開錠させる電子錠制御部（例えば、電子錠制御処理部１２３）と、鍵の固有情報と該鍵の所有者の声を示す音声情報とが紐付けて記録されている記録媒体（例えば、記憶部１３０）を参照する参照処理部（例えば、比較処理部１２２）とを備え、上記電子錠制御部が上記電子錠を開錠させるのは、上記転送部によって転送された固有情報に、上記マイク部によって取り込まれた声を発した人物と同じ人物の声を示す音声情報が紐付けられていると判定した場合であり、上記電子錠は、上記電子錠制御部からの遠隔制御を受けて開錠動作を行う。
【０３２３】
本発明の態様９に係る電子錠システムは、鍵（例えば、電子鍵５００）と、上記鍵との近距離通信が可能な電子錠（例えば、電子錠４００）とを含む電子錠システムにおいて、上記電子錠システムは、上記鍵を持つ人物の声を取り込むマイク部（例えば、マイク４２０）と、上記マイク部が取り込んだ声を示す音声情報を開錠処理装置に送信する送信処理部（例えば、制御部２２０）とを備え、上記鍵は、該鍵の固有情報（例えば、キー番号）を発信するようになっており、上記電子錠は、上記鍵が上記電子錠に近づいた場合に、上記鍵が発信する固有情報を取得し、該固有情報が上記開錠処理装置に送信されるように該固有情報を転送する転送部（例えば、受信部４１０）を備え、上記開錠処理装置は、遠隔制御により上記電子錠を開錠させる電子錠制御部（例えば、電子錠制御処理部１２３）と、鍵の固有情報と該鍵の所有者の声を示す音声情報とが紐付けて記録されている記録媒体（例えば、記憶部１３０）を参照する参照処理部（例えば、比較処理部１２２）とを備え、上記電子錠制御部が上記電子錠を開錠させるのは、上記転送部によって転送された固有情報に、上記送信処理部によって送信された音声情報が示す声を発した人物と同じ人物の声を示す音声情報が紐付けられていると判定した場合であり、上記電子錠は、上記電子錠制御部からの遠隔制御を受けて開錠動作を行う。
【０３２４】
上記の構成によれば、上記電子錠システムは、上記態様１に係る開錠処理装置と同様の作用効果を奏する。
【０３２５】
本発明の態様１０に係る電子錠システムは、上記態様９において、上記電子錠が上記マイク部を備えていてもよい。
【０３２６】
上記の構成によれば、上記電子錠システムは、上記態様４に係る開錠処理装置と同様の作用効果を奏する。
【０３２７】
本発明の態様１１に係る電子錠システムは、上記態様９において、上記鍵および上記電子錠に加えて、上記人物によって所有される携帯端末（例えば、スマートフォン７００）を含んでおり、上記携帯端末が、上記マイク部（例えば、マイク７４０）および上記送信処理部（例えば、制御部７２０）を備えていてもよい。
【０３２８】
上記の構成によれば、上記電子錠システムは、上記態様５に係る開錠処理装置と同様の作用効果を奏する。
【０３２９】
本発明の態様１２に係る電子錠システムは、鍵（例えば、電子鍵５００）と、上記鍵との近距離通信が可能な電子錠（例えば、電子錠４００）とを含む電子錠システムにおいて、上記電子錠システムは、鍵の固有情報（例えば、キー番号）と該鍵の所有者の声を示す音声情報とが紐付けて記録されている記録媒体（例えば、記憶部２４０）を参照する参照処理部（例えば、比較処理部２２２）を備え、上記鍵は、該鍵の固有情報を発信するようになっており、上記電子錠は、上記鍵が上記電子錠に近づいた場合に、該鍵が発信する固有情報を上記鍵から取得する固有情報取得部（例えば、取得処理部２２１）と、人物が発した声を取り込むマイク部（例えば、マイク４２０）とを備え、上記固有情報取得部によって取得された固有情報に、上記マイク部によって取り込まれた声を発した人物と同じ人物の声を示す音声情報が紐付けられていると上記電子錠システムが判定した場合に、上記電子錠が開錠動作を行う。
【０３３０】
上記の構成によれば、上記電子錠システムは、上記態様１に係る開錠処理装置と同様の作用効果を奏する。
【０３３１】
本発明の態様１３に係る開錠処理方法は、装置による電子錠の開錠処理方法において、鍵との近距離通信が可能な電子錠を開錠させる電子錠制御ステップと、鍵の固有情報と該鍵の所有者の声を示す音声情報とが紐付けて記録されている記録媒体を参照する参照処理ステップと、上記鍵が上記電子錠に近づいた場合に、上記電子錠が該鍵から受信した固有情報を取得する固有情報取得ステップと、人物が発した声を示す音声情報を取得する音声情報取得ステップとを含み、上記装置が上記電子錠制御ステップにて上記電子錠を開錠させるのは、上記固有情報取得ステップにて取得した固有情報に、上記音声情報取得ステップにて取得した音声情報によって示される声を発した人物と同じ人物の声を示す音声情報が紐付けられていると判定した場合である。
【０３３２】
上記の構成によれば、上記開錠処理方法は、上記態様１に係る開錠処理装置と同様の作用効果を奏する。
【０３３３】
なお、上記態様１から上記態様７に係る開錠処理装置は、コンピュータによって実現してもよく、この場合には、コンピュータを上記開錠処理装置が備える各部（上記電子錠制御部、上記参照処理部、上記固有情報取得部、及び、上記音声情報取得部）として動作させることにより当該各部をコンピュータにて実現させるプログラム（本発明の態様１４に係るプログラム）、およびそれを記録したコンピュータ読み取り可能な記録媒体も、本発明の範疇に入る。
【０３３４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０３３５】
本発明は、電子錠の開錠認証に好適に適用することができる。
【符号の説明】
【０３３６】
１００                ＳＮＳサーバ（開錠処理装置）
１２０                  制御部
１２１                    取得処理部（固有情報取得部、音声情報取得部）
１２２                    比較処理部（参照処理部）
１２３                    電子錠制御処理部（電子錠制御部）
１３０                  記憶部（記録媒体）
２００Ｄ              施開錠制御サーバ（開錠処理装置）
２２０Ｄ                制御部
２２１                    取得処理部（固有情報取得部、音声情報取得部）
２２２                    比較処理部（参照処理部、電子錠制御部）
２２３                    電子錠制御処理部（電子錠制御部）
２４０                  記憶部（記録媒体）
【図１】
2016186204.tif 000003
【図２】
2016186204.tif 000004
【図３】
2016186204.tif 000005
【図４】
2016186204.tif 000006
【図５】
2016186204.tif 000007
【図６】
2016186204.tif 000008
【図７】
2016186204.tif 000009
【図８】
2016186204.tif 000010
【図９】
2016186204.tif 000011
【図１０】
2016186204.tif 000012
【図１１】
2016186204.tif 000013
【図１２】
2016186204.tif 000014
【図１３】
2016186204.tif 000015
【図１４】
2016186204.tif 000016
【図１５】
2016186204.tif 000017
【図１６】
2016186204.tif 000018
【図１７】
2016186204.tif 000019
【図１８】
2016186204.tif 000020
【図１９】
2016186204.tif 000021
【図２０】
2016186204.tif 000022
【図２１】
2016186204.tif 000023
【図２２】
2016186204.tif 000024
【図２３】
2016186204.tif 000025
【図２４】
2016186204.tif 000026
【図２５】
2016186204.tif 000027
【図２６】
2016186204.tif 000028